(57)【特許請求の範囲】
【請求項１】
以下を含む水溶性または水膨潤性ポリマー：
ａ）  式（１）
【化１】
0005456880.tif 000032
［ここで、
Ｒ１は、水素、メチルまたはエチルを意味し、
Ａは、直鎖状または分岐状のＣ１〜Ｃ１２アルキレンを意味し、
Ｑ＋は、Ｈ＋、ＮＨ４＋、有機アンモニウムイオン［ＨＮＲ５Ｒ６Ｒ７］＋（ここでＲ５、Ｒ６およびＲ７は、互いに独立に、水素、１〜２２個の炭素原子を有する直鎖状または分岐状アルキル基、２〜２２個の炭素原子を有する直鎖状または分岐状のモノまたはポリ不飽和アルケニル基、Ｃ６〜Ｃ２２アルキルアミドプロピル基、２〜１０個の炭素原子を有する直鎖状モノヒドロキシアルキル基、または３〜１０個の炭素原子を有する直鎖状または分岐状ジヒドロキシアルキル基でよく、かつ、ここで、残基Ｒ５、Ｒ６およびＲ７のうち少なくとも１つは水素でない）、Ｌｉ＋、Ｎａ＋、Ｋ＋、１／２Ｃａ＋＋、１／２Ｍｇ＋＋、１／２Ｚｎ＋＋または１／３Ａｌ＋＋＋、またはこれらのイオンの混合物を表す］
で表される互いに独立の１つまたは複数の繰り返し構造単位を２０．０〜９８．９９モル％、および
ｂ）  式（２）
【化２】
0005456880.tif 000033
［ここで、
Ｒ１ａは、水素、メチルまたはエチルを意味し、
Ｘ＋は、Ｈ＋、ＮＨ４＋、有機アンモニウムイオン［ＨＮＲ５Ｒ６Ｒ７］＋（ここで、Ｒ５、Ｒ６およびＲ７は、互いに独立に、水素、１〜２２個の炭素原子を有する直鎖状または分岐状アルキル基、２〜２２個の炭素原子を有する直鎖状または分岐状のモノまたはポリ不飽和アルケニル基、Ｃ６〜Ｃ２２アルキルアミドプロピル基、２〜１０個の炭素原子を有する直鎖状モノヒドロキシアルキル基、または３〜１０個の炭素原子を有する直鎖状または分岐状ジヒドロキシアルキル基でよく、かつ、ここで、残基Ｒ５、Ｒ６およびＲ７のうち少なくとも１つは水素でない）、Ｌｉ＋、Ｎａ＋、Ｋ＋、１／２Ｃａ＋＋、１／２Ｍｇ＋＋、１／２Ｚｎ＋＋または１／３Ａｌ＋＋＋、またはこれらのイオンの混合物を表し、
Ｂは、１〜６個の炭素原子を有する直鎖状または分岐状アルキレン基であり、そして
ｎは、１〜１０の整数である］
で表される互いに独立の１つまたは複数の繰り返し構造単位を１．０〜７９．９９モル％、および
ｃ）  少なくとも２つのオレフィン性二重結合を有する１種または複数種のモノマーに由来する１つまたは複数の互いに独立の架橋性の繰り返し構造単位を０．０１〜８．０モル％。
【請求項２】
前記式（１）の１つまたは複数の構造単位が、２−アクリルアミド−２−メチルプロパンスルホン酸から誘導されることを特徴とする、請求項１に記載のポリマー。
【請求項３】
前記式（１）の１つまたは複数の構造単位の中和度が、５０．０〜１００モル％であることを特徴とする、請求項１または２に記載のポリマー。
【請求項４】
本発明によるポリマーの成分ｂ）中での、ｎが２以上の整数である前記式（２）の１つまたは複数の構造単位の割合が、少なくとも１０．０モル％であることを特徴とする、請求項１〜３のいずれか一つに記載のポリマー。
【請求項５】
前記式（２）の１つまたは複数の構造単位において、Ｂが−ＣＨ２ＣＨ２−基であり、ｎが１〜５の整数であることを特徴とする、請求項１〜４のいずれか一つに記載のポリマー。
【請求項６】
前記式（１）の１つまたは複数の構造単位におけるＨ＋ではない対イオンＱ＋が、ＮＨ４＋、アルカリ金属＋、アルカリ土類＋＋、およびこれらイオンの混合物から選択され、そして、前記式（２）の１つまたは複数の構造単位における対イオンＸ＋が、Ｈ＋、ＮＨ４＋、アルカリ金属＋、アルカリ土類＋＋、およびこれらイオンの混合物から選択されることを特徴とする、請求項１〜５のいずれか一つに記載のポリマー。
【請求項７】
以下を含むことを特徴とする、請求項１〜６のいずれか一つに記載のポリマー：
ａ）  前記式（１）の１つまたは複数の構造単位を５０．０〜９６．９９モル％、
ｂ）  前記式（２）の１つまたは複数の構造単位を３．０〜４９．９９モル％、および
ｃ）  前記成分ｃ）の１つまたは複数の架橋性構造単位を０．０１〜５．０モル％。
【請求項８】
成分ｃ）による式（３）の互いに独立した１種または複数種の架橋性の繰り返し構造単位
【化３】
0005456880.tif 000034
［ここで、
Ｒ１およびＲ２は、それぞれ互いに独立に、水素、メチルまたはエチルを意味し、
Ｄ、ＥおよびＦは、それぞれ互いに独立に、メチレンオキシ（−ＣＨ２−Ｏ−）、エチレンオキシ（−ＣＨ２−ＣＨ２−Ｏ−）、プロピレンオキシ（−ＣＨ（ＣＨ３）−ＣＨ２−Ｏ−）、１〜６個の炭素原子を有する直鎖状または分岐状アルキレン基、２〜６個の炭素原子を有する直鎖状または分岐状のモノまたはポリ不飽和アルケニレン基、２〜６個の炭素原子を有する直鎖状モノヒドロキシアルキレン基、または３〜６個の炭素原子を有する直鎖状または分岐状ジヒドロキシアルキレン基を意味し、そして
ｏ、ｐおよびｑは、それぞれ互いに独立に、１〜５０の整数を意味する］
を含むことを特徴とする、請求項１〜７のいずれか一つに記載のポリマー。
【請求項９】
以下を含むことを特徴とする、請求項１〜８のいずれか一つに記載のポリマー：
ａｂ）  式（１）および式（２）の繰り返し構造単位の混合体を２９．９９〜９８．９９モル％、
ｃ）  成分ｃ）の１つまたは複数の架橋性構造単位を０．０１〜８．０モル％、および  ｄ）  一般式（４）の１つまたは複数の化合物に由来する１つまたは複数の互いに独立な非架橋性繰り返し構造単位を０．０１〜７０．０モル％
【化４】
0005456880.tif 000035
［ここで、
Ｒ１は、水素、メチルまたはエチルを意味し、
Ｒ２は、Ｈ、１〜５０個の炭素原子を有する直鎖状または分岐状アルキル基、２〜６個の炭素原子を有する直鎖状または分岐状モノヒドロキシアルキル基、２〜６個の炭素原子を有する直鎖状または分岐状ジヒドロキシアルキル基、−（ＣＯ−Ｏ−Ｒ７−）ＯＲ８、または−（ＣＯ−ＮＲ５−Ｒ７−）ｐＲ８を意味し、
ｌ、ｍ、ｎ、ｏおよびｐは、それぞれ互いに独立に、０〜３００の整数を意味し、
Ｙは、化学結合、Ｏ、ＮＲ３、Ｓ、ＰＲ３、ＣＨ２、ＣＨ２Ｏ、ＣＨ２ＮＲ３、ＣＨ２Ｓ、Ｃ（Ｏ）、Ｃ（ＮＲ３）、Ｃ（Ｏ）Ｏ、ＯＣ（Ｏ）、Ｃ（Ｏ）ＮＲ３、ＮＲ３Ｃ（Ｏ）、Ｃ（ＮＲ４）ＮＲ３、Ｃ（Ｏ）Ｓ、Ｒ６ＯＣ（Ｏ）Ｏ、Ｒ６ＯＣ（Ｏ）ＮＲ３、Ｒ６Ｒ３ＮＣ（Ｏ）ＮＲ４、Ｒ６ＮＲ３Ｃ（ＮＲ５）ＮＲ４、Ｒ６ＯＣ（Ｏ）Ｓ、Ｒ６Ｐ（Ｏ）Ｏ、Ｒ６ＯＰ（Ｏ）Ｏ、Ｒ６Ｓ（Ｏ）、Ｒ６Ｓ（Ｏ）（Ｏ）、Ｒ６Ｓ（Ｏ）Ｏ、Ｒ６Ｓ（Ｏ）（Ｏ）Ｏ、Ｒ６ＯＳ（Ｏ）ＯまたはＲ６ＯＳ（Ｏ）（Ｏ）Ｏを意味し、
Ｒ３、Ｒ４、Ｒ５およびＲ８は、それぞれ互いに独立に、水素、または１〜５０個のＣ原子を有する直鎖状または分岐状アルキル残基を意味し、
Ｒ６は、化学結合またはＣＨ２を意味し、そして
Ｒ７は、１〜５０個のＣ原子を有する直鎖状または分岐状アルキレン残基を意味する］。
【請求項１０】
成分ｄ）の１つまたは複数の構造単位が、式（５）
【化５】
0005456880.tif 000036
［ここで、
Ｒ１は、水素、メチルまたはエチルを意味し、
Ｒ２およびＲ３は、それぞれ互いに独立に、水素、メチル、エチル、ｎ−プロピル、またはイソプロピルを意味し、そして、Ｒ２およびＲ３残基の少なくとも１つは水素でない］
で表される１つまたは複数の構造単位、および
式（６）
【化６】
0005456880.tif 000037
［ここで、
Ｒ１は、水素、メチルまたはエチルを意味し、
Ｒ２は、水素、メチル、エチル、ｎ−プロピルまたはイソプロピルである］
で表される１つまたは複数の構造単位、
から選択されることを特徴とする、請求項９に記載のポリマー。
【請求項１１】
成分ａ）〜ｃ）および場合によりｄ）の構造単位を誘導するモノマー、ならびに場合によりさらなるモノマーを、プロトン性溶媒中でラジカル重合させ、そして場合により重合前に前記モノマーを、または重合後にポリマーを、アンモニアまたは有機アミン、またはＬｉ＋、Ｎａ＋、Ｋ＋、Ｃａ＋＋、Ｍｇ＋＋、Ｚｎ＋＋、もしくはＡｌ＋＋＋を含有する塩基を用いて中和することを特徴とする、請求項１〜１０のいずれか一つに記載のポリマーの製造方法。
【請求項１２】
請求項１〜１０のいずれか一つに記載のポリマーの１種または複数種を含有する化粧用、皮膚科用または医薬用組成物。
【請求項１３】
リキッド（Ｆｌｕｉｄｓ）、ゲル、オイル、フォーム、スプレー、ローションまたはクリームの形態であることを特徴とする、請求項１２に記載の組成物。
【請求項１４】
１種または複数種の界面活性剤を含有することを特徴とする、請求項１２または１３に記載の組成物。
【請求項１５】
無機および有機の塩から選択される１種または複数種の物質を含むことを特徴とする、請求項１２〜１４のいずれか一つに記載の組成物。
【請求項１６】
α−およびβ−ヒドロキシ酸から選択される１種または複数種の物質を含むことを特徴とする、請求項１２〜１５のいずれか一つに記載の組成物。
【請求項１７】
ビタミンＣおよびビタミンＣ誘導体から選択される１種または複数種の物質を含むことを特徴とする、請求項１２〜１６のいずれか一つに記載の組成物。
【請求項１８】
安息香酸、ソルビン酸、サリチル酸、乳酸およびパラメトキシ安息香酸から選択される１種または複数種の物質を含むことを特徴とする、請求項１２〜１７のいずれか一つに記載の組成物。
【請求項１９】
無機および有機のＵＶフィルターから選択される１種または複数種の物質を含むことを特徴とする、請求項１２〜１８のいずれか一つに記載の組成物。
【請求項２０】
ｐＨ値が、２〜１０であることを特徴とする、請求項１２〜１９のいずれか一つに記載の組成物。
【請求項２１】
シャワージェルまたはシャンプーの形態であることを特徴とする請求項１２〜２０のいずれか一つに記載の組成物。
【請求項２２】
増粘剤、粘稠度調節剤、乳化剤、感覚添加剤、可溶化剤、分散剤、滑剤、粘着剤、安定剤または降伏点生成剤（Ｆｌｉｅｓｓｇｒｅｎｚｅｎｂｉｌｄｎｅｒ）としての、請求項１〜１０のいずれか一つに記載の１種または複数種のポリマーの使用。
【請求項２３】
無機または有機粒子、油滴または気泡の安定化のための、増粘剤または降伏点生成剤としての請求項２２に記載の使用。
【請求項２４】
無機もしくは有機粒子、油滴または気泡の安定化のための、１種または複数種の界面活性剤を含む液体組成物中での、増粘剤または降伏点生成剤としての請求項２２または２３に記載の使用。
【請求項２５】
エマルジョンの安定化のための請求項２２に記載の使用。
【発明の詳細な説明】
【技術分野】
【０００１】
本発明は、アクリル−、メタクリル−、または、エタクリルアミドアルキルスルホン酸またはその塩、およびカルボキシアルキルアクリラート、−メタクリラート、もしくは−エタクリラート、またはこれらカルボキシ化合物のオリゴマーに基づく架橋した水溶性または水膨潤性ポリマー、および上記ポリマーの製造方法、および上記ポリマーの、増粘剤、粘稠度調節剤または降伏点生成剤（Ｆｌｉｅｓｓｇｒｅｎｚｅｎｂｉｌｄｎｅｒ）としての使用、好ましくは水性界面活性剤系中の増粘剤もしくは降伏点生成剤としての使用、または界面活性剤系中の、特に好ましくは化粧用、皮膚科用、または医薬用組成物中の無機粒子、有機粒子、油滴、もしくは気泡用の降伏点生成剤としての使用、ならびに１種または複数種の上記ポリマーを含む化粧用、皮膚科用、または医薬用組成物に関する。
【背景技術】
【０００２】
２−アクリルアミド−２−メチルプロパンスルホン酸またはその塩に基づくポリマーがすでに知られている。
【０００３】
例えば２−アクリルアミド−２−メチルプロパンスルホン酸またはその塩の架橋されたホモポリマー（Ｈｏｓｔａｃｅｒｉｎ（登録商標）ＡＭＰＳ、Ｃｌａｒｉａｎｔ社）、ならびに例えばビニルピロリドンなどのさらなるモノマーとの架橋されたコポリマー（Ａｒｉｓｔｏｆｌｅｘ（登録商標）ＡＶＣ、Ｃｌａｒｉａｎｔ社）が、商業的に入手可能であり、また例えば欧州特許第０８１６４０３号（特許文献１）、および欧州特許第１１１６７３３号（特許文献２）に開示されている。しかしながら、これらのポリマーは、界面活性剤系において、清澄な溶液や、十分な降伏点を生成しないという欠点がある。
【０００４】
さらに２−アクリルアミド−２−メチルプロパンスルホン酸、またはその塩に基づく疎水化変性ポリマーも商業的に入手可能であり（例えば、Ａｒｉｓｔｏｆｌｅｘ（登録商標）ＨＭＢ、Ｃｌａｒｉａｎｔ社）、また例えば、欧州特許第１０６９１４２号（特許文献３）に記載されている。しかしながら、これらのポリマーは、界面活性剤系において、十分な降伏点や、透明な溶液を、特別な場合にしか生成しないという欠点がある。
【０００５】
上述した効果、すなわち、特に界面活性剤系において、清澄な溶液や降伏点を生成するのに、架橋した（ｑｕｅｒｖｅｒｎｅｔｚｔｅ）ポリアクリル酸やそのコポリマー（例えば、Ｃａｒｂｏｐｏｌ（登録商標）Ａｑｕａ  ＳＦ１、Ｌｕｂｒｉｚｏｌ社）が市場では用いられている。しかしこれらにも、ｐＨ値が約６未満であるときには、粘度上昇も、降伏点も、そして清澄な調合物も生成しないという欠点がある。
【０００６】
さらに、市場で見られる２−アクリルアミド−２−メチルプロパンスルホン酸やその塩、およびアクリル酸およびメタクリル酸から選択されるさらなるモノマーに基づくコポリマーは、油を含有する逆エマルジョンの形態でしか得られず（例えば、Ｓｉｍｕｌｇｅｌ（登録商標）、Ｓｅｐｐｉｃ社）、高い油含量が界面活性剤系の混濁を生じさせるので、界面活性剤系への使用には適さない。
【先行技術文献】
【特許文献】
【０００７】
【特許文献１】欧州特許第０８１６４０３号
【特許文献２】欧州特許第１１１６７３３号
【特許文献３】欧州特許第１０６９１４２号
【特許文献４】米国特許出願公開第２００８／００１４１５４号（Ａ１）
【特許文献５】欧州特許出願公開第００３６２９４号（Ａ２）
【特許文献６】欧州特許出願公開第０６９９７２６号（Ａ２）
【特許文献７】欧州特許出願公開第０５７４２０２号（Ａ１）
【特許文献８】米国特許出願公開第２００７／０１６６２６９号（Ａ１）
【非特許文献】
【０００８】
【非特許文献１】「Makromolekulare Chemie: Eine Einfuehrung」、Bernd Tieke、Wiley-VCH、2.、完全改訂、増補版（２００５年９月９日）ISBN-10: 3527313796
【発明の概要】
【発明が解決しようとする課題】
【０００９】
したがって、本発明の目的は、それにより従来技術による物質の欠点を減じ、さらには無くすことができ、また特に界面活性剤を含有する組成物、例えば化粧用、皮膚科用、または医薬用の界面活性剤含有組成物の製造に有利に使用でき、これにより、降伏点を示し、特に内部の無機および／または有機粒子および／または油滴ならびに気泡を安定化でき、またｐＨ範囲２〜１１、特に酸性ｐＨ範囲２〜６において非常に良好なレオロジー特性を示し、同時に肌にやさしく、さらにポリアクリラートに比べて有利な肌触りをもたらす、透明な界面活性剤含有組成物が得られる物質を提供することにあった。
【課題を解決するための手段】
【００１０】
驚くべきことに、この目的は、アクリル−、メタクリル−またはエタクリル・アミドアルキルスルホン酸またはその塩、およびカルボキシアルキルアクリラート、−メタクリラートまたは−エタクリラート、および／またはこれらカルボキシ化合物のオリゴマーに基づいた特定の架橋した水溶性または水膨潤性ポリマーにより達せられることが見出された。
【００１１】
したがって、本発明の対象は、以下を含む水溶性または水膨潤性ポリマーである。
ａ）  式（１）の互いに独立の１つまたは複数の繰り返し構造単位を２０．０〜９８．９９モル％、好ましくは、２０．０〜９８．９８モル％、
【００１２】
【化１】
0005456880.tif 000002
［ここで、
Ｒ１は、水素、メチル、またはエチルを意味し、
Ａは、直鎖状または分岐したＣ１〜Ｃ１２アルキレン、好ましくは、Ｃ１〜Ｃ８アルキレンを意味し、
Ｑ＋は、Ｈ＋、ＮＨ４＋、有機アンモニウムイオン［ＨＮＲ５Ｒ６Ｒ７］＋（ここで、Ｒ５、Ｒ６、およびＲ７は、互いに独立に、水素、直鎖状または分岐状Ｃ１〜Ｃ２２アルキル基、直鎖状または分岐状のモノまたはポリ不飽和Ｃ２〜Ｃ２２アルケニル基、Ｃ６〜Ｃ２２アルキルアミドプロピル基、直鎖状Ｃ２〜Ｃ１０モノヒドロキシアルキル基、あるいは直鎖状または分岐状Ｃ３〜Ｃ１０ジヒドロキシアルキル基でよく、かつ、ここで、残基Ｒ５、Ｒ６、およびＲ７のうち少なくとも１つは水素でない）、Ｌｉ＋、Ｎａ＋、Ｋ＋、１／２Ｃａ＋＋、１／２Ｍｇ＋＋、１／２Ｚｎ＋＋、または１／３Ａｌ＋＋＋、またはこれらイオンの混合物を表す］
ｂ）  式（２）の互いに独立の１つまたは複数の繰り返し構造単位を１．０〜７９．９９モル％、好ましくは、１．０〜７９．９８モル％、
【００１３】
【化２】
0005456880.tif 000003
［ここで、
Ｒ１ａは、水素、メチル、またはエチルを意味し、
Ｘ＋は、Ｈ＋、ＮＨ４＋、有機アンモニウムイオン［ＨＮＲ５Ｒ６Ｒ７］＋（ここで、Ｒ５、Ｒ６、およびＲ７は、互いに独立に、水素、直鎖状または分岐状Ｃ１〜Ｃ２２アルキル基、直鎖状または分岐状のモノまたはポリ不飽和Ｃ２〜Ｃ２２アルケニル基、Ｃ６〜Ｃ２２アルキルアミドプロピル基、直鎖状Ｃ２〜Ｃ１０モノヒドロキシアルキル基、または直鎖状または分岐状Ｃ３〜Ｃ１０ジヒドロキシアルキル基でよく、かつ、ここで、残基Ｒ５、Ｒ６、およびＲ７のうち少なくとも１つは水素でない）、Ｌｉ＋、Ｎａ＋、Ｋ＋、１／２Ｃａ＋＋、１／２Ｍｇ＋＋、１／２Ｚｎ＋＋、または１／３Ａｌ＋＋＋、またはこれらイオンの混合物を表し、
Ｂは、直鎖状または分岐状Ｃ１〜Ｃ６アルキレン基であり、そして
ｎは、１〜１０の整数である］、および
ｃ）  少なくとも２つのオレフィン性二重結合を有する１種または複数種のモノマーに由来する１つまたは複数の互いに独立の架橋性の繰り返し構造単位を０．０１〜８．０モル％、好ましくは、０．０１〜５．０モル％、特に好ましくは０．０１〜２．０モル％、また極めて好ましくは０．２５〜１．５モル％。
【００１４】
本発明によるポリマー中には、式（１）および／または式（２）のそれぞれ異なる構造単位を含むことができる。本発明によるポリマーは、例えば、対イオンＱ＋が異なることで互いに相違している式（１）の複数の構造単位を含むことができる。本発明によるポリマーは、例えばまた、対イオンＸ＋が異なることで互いに相違している式（２）の複数の構造単位を含むことができる。
【００１５】
本発明によるポリマーは、なかんずく、水系および化粧用、皮膚科用、または医薬用組成物の増粘剤および／または降伏点生成剤として、とりわけ、無機および／または有機粒子および／または油滴および／または気泡を含む清澄な水性界面活性剤含有系の増粘剤および／または降伏点生成剤として非常に適している。有利なことに、これらは、広いｐＨ範囲において、すなわち強い酸性ｐＨ値においても良好な増粘および／または安定化特性を示す。
【００１６】
アクリル酸２−カルボキシエチル、またはそのオリゴマーを基礎とするポリマーも同様にすでに知られている。
【００１７】
米国特許出願公開第２００８／００１４１５４Ａ１号（特許文献４）には、実質的に、ポリエチレングリコール類の特定な構造単位、および実質的にカチオン性のモノマーから誘導される構造単位からなるコポリマーが記載されている。この実質的にカチオン性のモノマーは、１種または複数種の特定のカチオン性モノマーと、１種または複数種の特定のアニオン性モノマーの混合物を意味する。前記コポリマーは、架橋されておらず、化粧用または医薬用組成物に使用できる。
【００１８】
欧州特許出願公開第００３６２９４Ａ２号（特許文献５）には、式ＣＨ２＝ＣＨ−ＣＯＯ−（ＣＨ２ＣＨ２ＣＯＯ）ｎＨのオリゴマー（ここでｎの平均値
【００１９】
【数１】
0005456880.tif 000004
は、１を超え１０以下である）、およびそのホモポリマーまたはコポリマー製造への使用が開示されている。このポリマーは、コーティングおよび／または含浸用組成物に使用できる。
【００２０】
欧州特許出願公開第０６９９７２６Ａ２号（特許文献６）には、特に６５〜９５重量％のカルボン酸ビニルから合成される水溶性共重合体を含有する水溶性感圧接着剤が記載されている。
【００２１】
欧州特許出願公開第０５７４２０２Ａ１号（特許文献７）には、とりわけ親水性不飽和モノマーを、モノマー量を基準として０．００１〜５０モル％の特定の架橋剤と共重合して、共重合生成物を熱処理する、親水性樹脂の製造方法が記載されている。前記架橋剤は、構造単位ＣＨ２＝ＣＨＣＯＯ−（ＣＨ２ＣＨ２ＣＯＯ）ｎ−を有し、ここでｎは、少なくとも１である。前記親水性樹脂は、例えば、親水性樹脂をさらなる架橋剤によって表面を処理することで、液体を取り入れる吸収性樹脂を製造するのに用いられる。
【００２２】
米国特許出願公開第２００７／０１６６２６９Ａ１号（特許文献８）には、特定のコポリマーを含み、油中水型エマルジョンまたは複合エマルジョンの形態で存在する化粧用組成物が記載されている。このコポリマーは、とりわけ、少なくとも部分的に中和されたイオン性の親水性モノマーから誘導される少なくとも１つのモノマー単位を含有する。
【００２３】
本発明によるポリマーの式（１）の１つまたは複数の構造単位において、Ｒ１は、好ましくは水素またはメチルであり、特に好ましくは水素である。
【００２４】
本発明によるポリマーの式（１）の１つまたは複数の構造単位において、Ａは、好ましくは、式−ＣＨ２−Ｃ（ＣＨ３）２−の構造単位である。
【００２５】
特に好ましくは、本発明によるポリマーの式（１）の１つまたは複数の構造単位は、２−アクリルアミド−２−メチルプロパンスルホン酸から誘導される。
【００２６】
好ましくは、本発明によるポリマーの式（１）の１つまたは複数の構造単位の中和度は、５０．０〜１００モル％、特に好ましくは８０．０〜１００モル％、極めて好ましくは９０．０〜１００モル％、また極端に好ましくは９５．０〜１００モル％である。
【００２７】
本発明によるポリマーの式（１）の１つまたは複数の構造単位において、Ｈ＋ではない対イオンＱ＋は、好ましくは、ＮＨ４＋、アルカリ金属＋（ここでアルカリ金属＋としてはさらにＮａ＋が好ましい）、アルカリ土類＋＋、およびこれらイオンの混合物から選択される。特に好ましくは、Ｈ＋ではない対イオンＱ＋は、ＮＨ４＋である。
【００２８】
本発明によるポリマーの式（２）の１つまたは複数の構造単位において、Ｒ１ａは、好ましくは水素またはメチルであり、特に好ましくは水素である。
【００２９】
本発明によるポリマーの式（２）の１つまたは複数の構造単位において、Ｂは、好ましくは、式−ＣＨ２−ＣＨ２−の構造単位である。
【００３０】
本発明によるポリマーの式（２）の１つまたは複数の構造単位において、ｎは、好ましくは１〜５、また特に好ましくは１〜４である。
【００３１】
好ましくは、本発明によるポリマーの成分ｂ）中での、ｎが２以上の整数である式（２）の１つまたは複数の構造単位の割合は、少なくとも１０．０モル％、特に好ましくは少なくとも２０．０モル％、極めて好ましくは少なくとも２５．０モル％、極端に好ましくは少なくとも３０．０モル％、好ましくは高々７０．０モル％である。
【００３２】
特に好ましくは、式（２）の１つまたは複数の構造単位において、Ｂは、−ＣＨ２ＣＨ２−基であり、ｎは、１〜５、好ましくは１〜４の整数である。
【００３３】
本発明によるポリマーの式（２）の１つまたは複数の構造単位において、カチオンＸ＋は、好ましくは、Ｈ＋、ＮＨ４＋、アルカリ金属＋（アルカリ金属＋の中ではさらにＮａ＋が好ましい）、アルカリ土類＋＋、およびこれらイオンの混合物から選択される。対イオンＸ＋は、特に好ましくはＨ＋および／またはＮＨ４＋である。
【００３４】
式（１）の１つまたは複数の構造単位における、Ｈ＋ではない対イオンＱ＋は、特に好ましくは、ＮＨ４＋、アルカリ金属＋（アルカリ金属＋の中ではさらにＮａ＋が好ましい）、アルカリ土類＋＋、およびこれらイオンの混合物から選択され、特に好ましくはＮＨ４＋であり、式（２）の１つまたは複数の構造単位における対イオンＸ＋は、Ｈ＋、ＮＨ４＋、アルカリ金属＋（アルカリ金属＋の中ではさらにＮａ＋が好ましい）、アルカリ土類＋＋、およびこれらイオンの混合物から選択され、特に好ましくはＨ＋および／またはＮＨ４＋である。
【００３５】
さらなる特に好ましい本発明の実施形態では、式（２）の１つまたは複数の構造単位中のＸ＋はＨ＋である。
【００３６】
さらなる特に好ましい本発明の実施形態では、本発明によるポリマーは、式（２）の複数種の構造単位を含み、式（２）の構造単位の幾つかでは対イオンＸ＋がＨ＋を意味し、他の式（２）の構造単位ではイオンＸ＋は、Ｈ＋以外、好ましくはＮＨ４＋を意味する。
【００３７】
本発明の好ましい実施形態では、式（１）の１つまたは複数の構造単位と式（２）の１つまたは複数の構造単位とのモル比は、２０：８０〜９９：１、特に好ましくは５０：５０〜９７：３、極めて好ましくは７５：２５〜９５：５、また極端に好ましくは８５：１５〜９５：５である。
【００３８】
好ましくは本発明によるポリマーは、
ａ）  式（１）の１つまたは複数の構造単位を５０．０〜９６．９９モル％、好ましくは７５．０〜９４．９９モル％、また特に好ましくは８４．７５〜９４．７５モル％、
ｂ）  式（２）の１つまたは複数の構造単位を３．０〜４９．９９モル％、好ましくは５．０〜２４．９９モル％、また特に好ましくは５．０〜１５．０モル％、および
ｃ）  成分ｃ）の１つまたは複数の架橋性構造単位を０．０１〜５．０モル％、好ましくは０．０１〜２．０モル％、また特に好ましくは０．２５〜１．５モル％
含む。
【００３９】
本発明のさらなる好ましい実施形態では、本発明によるポリマー中の式（２）の１つまたは複数の構造単位の量は、それぞれ本発明によるポリマーの総量を基準として、５０重量％以下、好ましくは４５重量％以下である。
【００４０】
本発明によるポリマーの成分ｃ）の１つまたは複数の架橋性構造単位は、好ましくは、アクリル酸またはメタクリル酸エステル、アクリル酸またはメタクリル酸アミド、ポリグリコールジアクリル酸エステルまたはジメタクリル酸エステル、ポリグリコールジアクリル酸アミドまたはジメタクリル酸アミド、ジプロピレングリコールジアクリル酸エステルまたはジメタクリル酸エステル、ジプロピレングリコールジアクリル酸アミドまたはジメタクリル酸アミド、エトキシ化グリセリンジアクリラートまたはジメタクリラート、エトキシ化グリセリントリアクリラートまたはトリメタクリラート、プロポキシ化グリセリンジアクリラートまたはジメタクリラート、プロポキシ化グリセリントリアクリラートまたはトリメタクリラート、または他のアクリル酸またはメタクリル酸エステル、多官能性アルコールのアクリル酸またはメタクリル酸アミド、トリメチロールプロパントリアクリラートまたはトリメタクリラート、多官能性アルコールのアリルまたはビニルエーテル、メチレン−ビス−アクリルアミド、あるいはジビニルベンゼンから誘導する。
【００４１】
さらに、本発明によるポリマーの成分ｃ）の１つまたは複数の架橋性構造単位は、好ましくは一般式（９）のモノマーから誘導される。
【００４２】
【化３】
0005456880.tif 000005
［ここで、
Ｒ１は、水素、メチル、またはエチルを意味し、
Ｒ２は、直鎖状または分岐状Ｃ１〜Ｃ６アルキレン基、または直鎖状または分岐状のモノまたはポリ不飽和Ｃ２〜Ｃ６アルケニレン基である］
【００４３】
さらに、好ましくは本発明によるポリマーは、成分ｃ）による式（３）の互いに独立した１種または複数種の架橋性の繰り返し構造単位、
【００４４】
【化４】
0005456880.tif 000006
［ここで、
Ｒ１およびＲ２は、それぞれ互いに独立に、水素、メチル、またはエチルを意味し、
Ｄ、Ｅ、およびＦは、それぞれ互いに独立に、メチレンオキシ（−ＣＨ２−Ｏ−）、エチレンオキシ（−ＣＨ２−ＣＨ２−Ｏ−）、プロピレンオキシ（−ＣＨ（ＣＨ３）−ＣＨ２−Ｏ−）、直鎖状または分岐状Ｃ１〜Ｃ６アルキレン基、直鎖状または分岐状の、モノまたはポリ不飽和Ｃ２〜Ｃ６アルケニレン基、直鎖状Ｃ２〜Ｃ６モノヒドロキシアルキレン基、または直鎖状または分岐状Ｃ３〜Ｃ６ジヒドロキシアルキレン基を意味し、
ｏ、ｐ、およびｑは、それぞれ互いに独立に、１〜５０の整数を意味する］
を含む。
【００４５】
本発明によるポリマーのための架橋剤として、グリセリンプロポキシラートトリアクリラート（ＧＰＴＡ）、トリメチロールプロパントリアクリラート（ＴＭＰＴＡ）、ペンタエリトリトールジアクリラートモノステアラート（ＰＥＡＳ）、ヘキサンジオールジアクリラート（ＨＤＤＡ）、およびヘキサンジオールジメタクリラート（ＨＤＤＭＡ）が特に好ましい。極めて好ましいのは、グリセリンプロポキシラートトリアクリラート（ＧＰＴＡ）である。
【００４６】
特に好ましい本発明によるポリマーは、
ａｂ）  式（１）および（２）の繰り返し構造単位の混合体を２９．９９〜９８．９９モル％、好ましくは６２．０〜９８．９９モル％、
ｃ）  成分ｃ）の１つまたは複数の架橋性構造単位を０．０１〜８．０モル％、および
ｄ）  一般式（４）の１つまたは複数の化合物に由来する１つまたは複数の互いに独立な非架橋性繰り返し構造単位を０．０１〜７０．０モル％、好ましくは１．０〜７０．０モル％、特に好ましくは１．０〜３７．９９モル％
含む。
【００４７】
【化５】
0005456880.tif 000007
［ここで、
Ｒ１は、水素、メチル、またはエチルを意味し、
Ｒ２は、Ｈ、直鎖状または分岐状Ｃ１〜Ｃ５０アルキル基、直鎖状または分岐状Ｃ２〜Ｃ６モノヒドロキシアルキル基、直鎖状または分岐状Ｃ２〜Ｃ６ジヒドロキシアルキル基、−（ＣＯ−Ｏ−Ｒ７−）ＯＲ８または−（ＣＯ−ＮＲ５−Ｒ７−）ｐＲ８を意味し、
ｌ、ｍ、ｎ、ｏ、およびｐは、それぞれ互いに独立に、０〜３００の整数を意味し、
Ｙは、化学結合、Ｏ、ＮＲ３、Ｓ、ＰＲ３、ＣＨ２、ＣＨ２Ｏ、ＣＨ２ＮＲ３、ＣＨ２Ｓ、Ｃ（Ｏ）、Ｃ（ＮＲ３）、Ｃ（Ｏ）Ｏ、ＯＣ（Ｏ）、Ｃ（Ｏ）ＮＲ３、ＮＲ３Ｃ（Ｏ）、Ｃ（ＮＲ４）ＮＲ３、Ｃ（Ｏ）Ｓ、Ｒ６ＯＣ（Ｏ）Ｏ、Ｒ６ＯＣ（Ｏ）ＮＲ３、Ｒ６Ｒ３ＮＣ（Ｏ）ＮＲ４、Ｒ６ＮＲ３Ｃ（ＮＲ５）ＮＲ４、Ｒ６ＯＣ（Ｏ）Ｓ、Ｒ６Ｐ（Ｏ）Ｏ、Ｒ６ＯＰ（Ｏ）Ｏ、Ｒ６Ｓ（Ｏ）、Ｒ６Ｓ（Ｏ）（Ｏ）、Ｒ６Ｓ（Ｏ）Ｏ、Ｒ６Ｓ（Ｏ）（Ｏ）Ｏ、Ｒ６ＯＳ（Ｏ）ＯまたはＲ６ＯＳ（Ｏ）（Ｏ）Ｏ、好ましくは化学結合、Ｏ、ＣＨ２、Ｃ（Ｏ）Ｏ、ＯＣ（Ｏ）、Ｃ（Ｏ）ＮＲ３、またはＮＲ３Ｃ（Ｏ）を意味し、
Ｒ３、Ｒ４、Ｒ５、およびＲ８は、それぞれ互いに独立に、水素または直鎖状または分岐状Ｃ１〜Ｃ５０アルキル残基を意味し、
Ｒ６は、化学結合またはＣＨ２を意味し、
Ｒ７は、直鎖状または分岐状Ｃ１〜Ｃ５０アルキレン残基を意味する］
【００４８】
式（４）の１つまたは複数の化合物において、Ｒ１は、好ましくは、水素またはメチルである。
【００４９】
式（４）の１つまたは複数の化合物において、Ｒ２は、好ましくは、Ｈ、直鎖状または分岐状Ｃ１〜Ｃ５０アルキル基、直鎖状または分岐状Ｃ２〜Ｃ６モノヒドロキシアルキル基、あるいは直鎖状または分岐状Ｃ２〜Ｃ６ジヒドロキシアルキル基である。
【００５０】
式（４）の１つまたは複数の化合物において、ｌは、好ましくは０を意味する。
【００５１】
式（４）の１つまたは複数の化合物において、Ｙは、好ましくは化学結合、Ｏ、ＣＨ２、Ｃ（Ｏ）Ｏ、ＯＣ（Ｏ）、Ｃ（Ｏ）ＮＲ３、またはＮＲ３Ｃ（Ｏ）を意味する。
【００５２】
特に好ましくは、成分ｄ）の１つまたは複数の構造単位は、式（５）の１つまたは複数の構造単位と、
【００５３】
【化６】
0005456880.tif 000008
［ここで、
Ｒ１は、水素、メチル、またはエチルを意味し、
Ｒ２およびＲ３は、それぞれ互いに独立に、水素、メチル、エチル、ｎ−プロピル、またはイソプロピルを意味し、さらに、Ｒ２およびＲ３残基の少なくとも１つは水素でない］
式（６）の１つまたは複数の構造単位と、
【００５４】
【化７】
0005456880.tif 000009
［ここで、
Ｒ１は、水素、メチル、またはエチルを意味し、
Ｒ２は、水素、メチル、エチル、ｎ−プロピル、またはイソプロピルである］
から選択される。
【００５５】
本発明の好ましい実施形態では、成分ｄ）の１つまたは複数の構造単位は、式（５）の１つまたは複数の構造単位から選択される。
【００５６】
本発明のさらなる好ましい実施形態では、成分ｄ）の１つまたは複数の構造単位は、式（６）の１つまたは複数の構造単位から選択される。
【００５７】
本発明のさらなる好ましい実施形態では、本発明によるポリマーは、アクリル酸から誘導される構造単位を含んでいる。本発明によるポリマーがそうした構造単位を含有する場合、その本発明によるポリマー中の含有量は、ポリマーの総量を基準として、好ましくは０．０１〜１０．０モル％である。
【００５８】
本発明のさらなる好ましい実施形態では、本発明によるポリマーは、カチオン性の構造単位を含まない。
【００５９】
本発明によるポリマー中での様々な構造単位の分布は、統計的、ブロック形、交互形、あるいは勾配形であり得る。
【００６０】
本発明によるポリマーの分子量は、好ましくは１０３〜１０９ｇ／ｍｏｌ、特に好ましくは１０４〜１０７ｇ／ｍｏｌ、また極めて好ましくは１０５〜５ｘ１０６ｇ／ｍｏｌである。
【００６１】
本発明によるポリマーの製造は、プロトン性溶媒、好ましくはｔｅｒｔ．−ブタノール中でラジカル重合により行われる。このとき、相当のモノマーを例えばプロトン性溶媒中に溶解させ、または分散させ、それ自体知られている方法で、例えばラジカル発生性の化合物を加えて重合を開始する。このとき、例えば、仕込んだモノマーを「直接」重合させることができる。しかし、これらは、また、重合の前に中和させ、例えば酸性基が組み込まれたモノマーを重合前に塩基と反応させ、式（１）による構造単位の対イオンＱ＋、あるいは式（２）による構造単位の対イオンＸ＋を形成させることもできる。重合前にモノマーを中和する代りに、重合の実施後にポリマーを塩基で中和することもできる。
【００６２】
したがって、本発明のさらなる対象は、本発明によるポリマーの製造方法であって、成分ａ）〜ｃ）さらに場合によりｄ）の構造単位を誘導するモノマー、および場合によりさらなるモノマーを、プロトン性溶媒、好ましくはｔｅｒｔ．−ブタノール中でラジカル重合させ、さらに場合により重合前に上記モノマーを、または重合後にポリマーを、アンモニアまたは有機アミン、またはＬｉ＋、Ｎａ＋、Ｋ＋、Ｃａ＋＋、Ｍｇ＋＋、Ｚｎ＋＋またはＡｌ＋＋＋を含有する塩基、好ましくは、これらの水酸化物または炭酸塩、特に好ましくは水酸化物を用いて中和する製造方法である。
【００６３】
ラジカル重合は、当業者に公知であって、標準的な文献として例えば「Makromolekulare Chemie: Eine Einfuehrung」、Bernd Tieke、Wiley-VCH、2.、完全改訂、増補版（２００５年９月９日）ISBN-10: 3527313796（非特許文献１）に詳細に記載されている。
【００６４】
本発明によるポリマーは、肌にやさしくまた肌触りが良いという特徴がある。本発明によるポリマーはさらに酸に対して安定である。本発明によるポリマーは、酸性のｐＨ値でも増粘するので、有利には、安息香酸、ソルビン酸、パラメトキシ安息香酸といった有機酸を使用する場合に、不可避の低いｐＨ値でも十分な増粘作用がもたらされるので、増粘した化粧用製品を保存することが可能である。これらを用いても透明な溶液が得られる。
【００６５】
本発明によるポリマーは、さらに有利に、化粧用、皮膚科用、または医薬用組成物の製造に適している。
【００６６】
したがって、本発明のさらなる対象は、１つまたは複数の本発明によるポリマーの化粧用、皮膚科用、または医薬用組成物の製造への使用、ならびに、１つまたは複数の本発明によるポリマーを含有する化粧用、皮膚科用、または医薬用組成物である。
【００６７】
本発明による組成物は、本発明によるポリマーを、完成した組成物を基準として、好ましくは０．０１〜１０．０重量％、特に好ましくは０．１〜５．０重量％、また極めて好ましくは０．５〜２．０重量％含有する。
【００６８】
本発明の好ましい実施形態では、本発明による界面活性剤含有組成物は、粘度（２５℃、ブルックフィールドＲＶＴ、Ｔ−Ｃスピンドル：５ｒｐｍ）が好ましくは１００〜５０，０００ｍＰａ・ｓの範囲、特に好ましくは１００〜１０，０００ｍＰａ・ｓの範囲、極めて好ましくは５００〜５，０００ｍＰａ・ｓの範囲、また極端に好ましくは５００〜４，０００ｍＰａ・ｓの範囲である。
【００６９】
本発明のさらなる好ましい実施形態では、クリーム、ローション、水性および水性アルコール調合物のような本発明による組成物は、粘度（２５℃、ブルックフィールドＲＶＴ、Ｔ−Ｃスピンドル：５ｒｐｍ）が、好ましくは１００〜５０，０００ｍＰａ・ｓの範囲、特に好ましくは５００〜３０，０００ｍＰａ・ｓの範囲、また極めて好ましくは１，０００〜２０，０００ｍＰａ・ｓの範囲である。
【００７０】
本発明のさらなる好ましい実施形態では、本発明による組成物は、リキッド（Ｆｌｕｉｄｓ）、ゲル、オイル、フォーム、スプレー、ローション、またはクリームの形態にある
【００７１】
本発明による組成物は、好ましくは水性または水−アルコール系であり、あるいは水中油型エマルジョンで存在する。
【００７２】
本発明の特に好ましい実施形態では、本発明による組成物は、水性または水−アルコール系であり、あるいは水中油型エマルジョンで存在し、極めて好ましくは水性で界面活性剤を含有し、水−アルコール性で界面活性剤を含有する組成物として存在し、組成物の全重量を基準として、好ましくは、
ａ）  水相または水−アルコール相を、９８．０重量％まで、好ましくは６０．０〜９８．０重量％、特に好ましくは７０．０〜９４．４重量％、極めて好ましくは７５．０〜９４．５重量％、
ｂ）  １種または複数種の界面活性剤を、５０．０重量％まで、好ましくは１．０〜３０．０重量％、特に好ましくは５．０〜２０．０重量％、極めて好ましくは５．０〜１５．０重量％、
ｃ）  １種または複数種の本発明によるポリマーを、１０．０重量％まで、好ましくは０．０１〜１０．０重量％、特に好ましくは０．１〜５．０重量％、極めて好ましくは０．５〜２．０重量、および
ｄ）  １種または複数種のさらなる添加物を、５０．０重量％まで、好ましくは０．５〜３８．９９重量％、特に好ましくは０．５〜６．０重量％、極めて好ましくは１．０〜５．０重量％（ここで、本発明による組成物が水中油型エマルジョンであるとき、上記１種または複数種の添加物は、特に１種または複数種の油を意味する）
含有する。
【００７３】
水−アルコール系またはアルコール系の本発明による組成物としては、全ての１価または多価のアルコールが対象となる。好ましいものに、Ｃ１〜Ｃ４アルコール、例えばエタノール、プロパノール、イソプロパノール、ｎ−ブタノール、ｉ−ブタノール、ｔ−ブタノール、またはグリセリン、およびアルキレングリコール、特にプロピレングリコール、ブチレングリコール、またはヘキシレングリコール、ならびに上記アルコールの混合物がある。さらなる好ましいアルコールには、相対分子質量２，０００未満のポリエチレングリコールがある。特に、相対分子質量２００〜６００のポリエチレングリコールおよび相対分子質量４００〜６００のポリエチレングリコールを使用するのが好ましい。
【００７４】
本発明による組成物は、１種または複数種の油を含有することができる。
【００７５】
前記油は、有利には、トリグリセリド、天然および合成脂肪体、好ましくは脂肪酸とＣ数の少ないアルコール、例えばメタノール、イソプロパノール、プロピレングリコールまたはグリセリンとのエステル、または脂肪族アルコールとＣ数の少ないアルカン酸または脂肪酸とのエステルからなる群から、あるいは安息香酸アルキル、ならびに天然または合成炭化水素油からなる群から選択することができる。
【００７６】
直鎖状または分岐状であり、飽和または不飽和であり、場合によりヒドロキシル化されたＣ８〜３０脂肪酸のトリグリセリド、特に植物油、例えばヒマワリ油、トウモロコシ油、大豆油、米ぬか油、ホホバ油、ババス油（Ｂａｂｕｓｓｃｕ−）、カボチャ種油、ブドウ種油、ゴマ油、クルミ油、アンズ油、オレンジ油、コムギ胚油、モモ核油、マカダミア油、アボカド油、アーモンド油、タネツケバナ油、ヒマシ油、オリーブ油、ピーナツ油、菜種油およびココナッツ油、ならびに合成トリグリセリド油、例えば市販品Ｍｙｒｉｔｏｌ（登録商標）３１８および市販品Ｖｅｌｓａｎ（登録商標）ＣＣＴ（カプリル−カプリン酸−トリグリセリド、Ｃｌａｒｉａｎｔ社）が考えられる。本発明によれば、硬化トリグリセリドも好ましい。また、動物由来の油、例えば牛脂、ペルヒドロスクアレン、ラノリンも使用できる。
【００７７】
好ましい油体のさらなる部類は、直鎖状または分岐状のＣ８〜２２アルカノールの安息香酸エステル、例えば市販品Ｆｉｎｓｏｌｖ（登録商標）ＳＢ（安息香酸イソステアリル）、Ｆｉｎｓｏｌｖ（登録商標）ＴＮ（Ｃ１２〜Ｃ１５アルキルベンゾアート）、およびＦｉｎｓｏｌｖ（登録商標）ＥＢ（安息香酸エチルヘキシル）である。
【００７８】
好ましい油体のさらなる部類には、全体でＣ１２〜Ｃ３６、特にＣ１２〜Ｃ２４のジアルキルエーテル、例えば、ジ−ｎ−オクチルエーテル（Ｃｅｔｉｏｌ（登録商標）ＯＥ）、ジ−ｎ−ノニルエーテル、ジ−ｎ−デシルエーテル、ジ−ｎ−ウンデシルエーテル、ジ−ｎ−ドデシルエーテル、ｎ−ヘキシル−ｎ−オクチルエーテル、ｎ−オクチル−ｎ−デシルエーテル、ｎ−デシル−ｎ−ウンデシルエーテル、ｎ−ウンデシル−ｎ−ドデシルエーテル、およびｎ−ヘキシル−ｎ−ウンデシルエーテル、ジ−３−エチルデシルエーテル、ｔｅｒｔ．−ブチル−ｎ−オクチルエーテル、イソペンチル−ｎ−オクチルエーテル、および２−メチルペンチル−ｎ−オクチルエーテル、ならびにジ−ｔｅｒｔ．−ブチルエーテルおよびジイソ−ペンチルエーテルがある。
【００７９】
さらに、分岐状の飽和または不飽和Ｃ６〜Ｃ３０脂肪族アルコール、例えば、イソステアリルアルコール、ならびにガーベットアルコール（Ｇｕｅｒｂｅｔａｌｋｏｈｏｌｅ）も考えられる。
【００８０】
好ましい油体のさらなる部類には、ヒドロキシカルボン酸アルキルエステルがある。好ましいヒドロキシカルボン酸アルキルエステルは、グリコール酸、乳酸、リンゴ酸、酒石酸、またはクエン酸の全エステル（Ｖｏｌｌｅｓｔｅｒ）である。さらなる基本的に適したヒドロキシカルボン酸のエステルには、β−ヒドロキシプロピオン酸、タルトロン酸、Ｄ−グルコン酸、糖酸、粘液酸、またはグルクロン酸のエステルがある。これらのエステルのアルコール成分としては、Ｃ８〜Ｃ２２の第一級の直鎖状または分岐の脂肪族アルコールが適している。ここで、Ｃ１２〜Ｃ１５脂肪族アルコールのエステルが特に好ましい。このタイプのエステルは、例えばＥｎｉＣｈｅｍ，  Ａｕｇｕｓｔａ  Ｉｎｄｕｓｔｒｉａｌｅ社から商品名Ｃｏｓｍａｃｏｌ（登録商標）で市販されている。
【００８１】
好ましい油体のさらなる部類には、直鎖状または分岐状のＣ２〜Ｃ１０アルカノールのジカルボン酸エステル、例えばアジピン酸ジ−ｎ−ブチル（Ｃｅｔｉｏｌ（登録商標）Ｂ）、アジピン酸ジ−（２−エチルヘキシル）、およびコハク酸ジ−（２−エチルヘキシル）；ならびにジオールエステル、例えばエチレングリコール−ジオレアート、エチレングリコール−ジ−イソトリデカノアート、プロピレングリコール−ジ（２−エチルヘキサノアート）、プロピレングリコール−ジ−イソステアラート、プロピレングリコール−ジ−ペラルゴナート、ブタンジオール−ジ−イソステアラート、およびネオペンチルグリコールジカプリラートならびにジ−イソトリデシルアセラートがある。
【００８２】
同様に、炭酸と脂肪族アルコールの対称、非対称、または環状エステル、グリセリンカーボナート、またはジカプリリルカーボナート（Ｃｅｔｉｏｌ（登録商標）ＣＣ）も好ましい油体である。
【００８３】
好ましい油体のさらなる部類には、不飽和Ｃ１２〜Ｃ２２脂肪酸の二量体（二量化脂肪酸）と、１価の直鎖状、分岐状、または環状Ｃ２〜Ｃ１８アルカノール、または多価直鎖状または分岐状Ｃ２〜Ｃ６アルカノールとのエステルがある。
【００８４】
好ましい油体のさらなる部類には、炭化水素油、例えば、直鎖状または分岐状であり飽和または不飽和のＣ７〜Ｃ４０炭素鎖を有するもの、例を挙げれば、ワセリン、ドデカン、イソドデカン、コレステロール、ラノリン、合成炭化水素、例えばポリオレフィン、特にポリイソブテン、水素化ポリイソブテン、ポリデカン、ならびにヘキサデカン、イソヘキサデカン、パラフィン油、イソパラフィン油、例えば市販品のＰｅｒｍｅｔｈｙｌ（登録商標）シリーズ、スクアラン、スクアレン、および脂環式炭化水素、例えば市販品１，３−ジ（２−エチル−ヘキシル）シクロヘキサン（Ｃｅｔｉｏｌ（登録商標）Ｓ）、オゾケライト、およびセレシンがある。
【００８５】
同様に、シリコーン油もしくはシリコーンワックス、好ましくはジメチルポリシロキサン、およびシクロメチコン、ポリジアルキルシロキサンＲ３ＳｉＯ（Ｒ２ＳｉＯ）ｘＳｉＲ３（ここで、Ｒはメチルまたはエチル、特に好ましくはメチルを表し、また、ｘは２〜５００の数を表す）、例えば商品名ＶＩＣＡＳＩＬ（Ｇｅｎｅｒａｌ  Ｅｌｅｃｔｒｉｃ  Ｃｏｍｐａｎｙ）、ＤＯＷ  ＣＯＲＮＩＮＧ  ２００、ＤＯＷ  ＣＯＲＮＩＮＧ  ２２５、ＤＯＷ  ＣＯＲＮＩＮＧ  ２００（Ｄｏｗ  Ｃｏｒｎｉｎｇ  Ｃｏｒｐｏｒａｔｉｏｎ）として入手可能なジメチコン、ならびにＳｉｌＣａｒｅ（登録商標）Ｓｉｌｉｃｏｎｅ  ４１Ｍ６５、ＳｉｌＣａｒｅ（登録商標）Ｓｉｌｉｃｏｎｅ  ４１Ｍ７０、ＳｉｌＣａｒｅ（登録商標）Ｓｉｌｉｃｏｎｅ  ４１Ｍ８０（Ｃｌａｒｉａｎｔ社）として入手可能なジメチコン、ステアリルジメチルポリシロキサン、Ｃ２０〜Ｃ２４アルキル−ジメチルポリシロキサン、Ｃ２４〜Ｃ２８アルキル−ジメチルポリシロキサン、またさらに商品名ＳｉｌＣａｒｅ（登録商標）Ｓｉｌｉｃｏｎｅ  ４１Ｍ４０、ＳｉｌＣａｒｅ（登録商標）Ｓｉｌｉｃｏｎｅ  ４１Ｍ５０（Ｃｌａｒｉａｎｔ社）として入手可能なメチコン、さらにトリメチルシロキシシリカート［（ＣＨ２）３ＳｉＯ）１／２］ｘ［ＳｉＯ２］ｙ（ここで、ｘは１〜５００の数を表し、またｙは１〜５００の数を表す）、ジメチコノールＲ３ＳｉＯ［Ｒ２ＳｉＯ］ｘＳｉＲ２ＯＨおよびＨＯＲ２ＳｉＯ［Ｒ２ＳｉＯ］ｘＳｉＲ２ＯＨ（ここで、Ｒはメチルまたはエチルを表し、またｘは５００までの数を表す）、ポリアルキルアリールシロキサン、例えば商標ＳＦ  １０７５  ＭＥＴＨＹＬＰＨＥＮＹＬ  ＦＬＵＩＤ（Ｇｅｎｅｒａｌ  Ｅｌｅｃｔｒｉｃ  Ｃｏｍｐａｎｙ）および５５６  ＣＯＳＭＥＴＩＣ  ＧＲＡＤＥ  ＰＨＥＮＹＬ  ＴＲＩＭＥＴＨＩＣＯＮＥ  ＦＬＵＩＤ（Ｄｏｗ  Ｃｏｒｎｉｎｇ  Ｃｏｒｐｏｒａｔｉｏｎ）として入手可能なポリメチルフェニルシロキサン、ポリジアリールシロキサン、シリコーン樹脂、環状シリコーン、およびアミノ−、脂肪酸−、アルコール−、ポリエーテル−、エポキシ−、フッ素−および／またはアルキル変性シリコーン化合物、ならびにポリエーテルシロキサンコポリマーも考えられる。
【００８６】
本発明による組成物は、好ましくは１種または複数種の界面活性剤を含有する。
【００８７】
本発明において、界面活性剤とは、液体の表面張力または２つの相の間の界面張力を低下させ、分散液やエマルジョンの生成を可能にする、または支援する物質を意味する。このことは特に、本発明において「界面活性剤」という概念が、通常乳化剤と呼ばれる物質も包含することを意味する。
【００８８】
界面活性剤は、有利には、非イオン性界面活性剤、アニオン性界面活性剤、カチオン性界面活性剤、両性界面活性剤、およびベタイン界面活性剤からなる群から選択することができる。
【００８９】
本発明による組成物に含まれる界面活性剤の量（例えば易洗い流し製品（Ｒｉｎｓｅ−Ｏｆｆ−Ｐｒｏｄｕｋｔｅｎ）の場合）は、完成した本発明による組成物を基準として好ましくは０．０１〜５０．０重量％、特に好ましくは１．０〜３０．０重量％、極めて好ましくは５．０〜２０．０重量％および並外れて好ましくは５．０〜１５．０重量％である。
【００９０】
アニオン性界面活性剤として、（Ｃ１０〜Ｃ２２）−アルキル−およびアルキレン−カルボン酸塩、アルキルエーテルカルボン酸塩、脂肪族アルコール硫酸塩、脂肪族アルコールエーテル硫酸塩、アルキルアミド硫酸塩およびアルキルアミドスルホン酸塩、脂肪酸アルキルアミドポリグリコールエーテル硫酸塩、アルカンスルホン酸塩およびヒドロキシアルカンスルホン酸塩、オレフィンスルホン酸塩、イセチオナートのアシルエステル、α−スルホ脂肪酸エステル、アルキルベンゼンスルホン酸塩、アルキルフェノールグリコールエーテルスルホン酸塩、スルホコハク酸塩、スルホコハク酸の半エステルおよびジエステル、脂肪族アルコールリン酸エステル、脂肪族アルコールエーテルリン酸エステル、タンパク質−脂肪酸−縮合生成物、アルキルモノグリセリド硫酸塩およびアルキルモノグリセリドスルホン酸塩、アルキルグリセリドエーテルスルホン酸塩、脂肪酸メチルタウリド、脂肪酸サルコシナート、スルホリシノール酸塩、アシルグルタミン酸塩、およびアシルグリシン酸塩が好ましい。これら化合物およびそれらの混合物は、水溶性または水中分散性塩、例えばナトリウム塩、カリウム塩、マグネシウム塩、アンモニウム塩、モノ−、ジ−およびトリ−エタノールアンモニウム塩、ならびに類似のアルキルアンモニウム塩の形で用いる。
【００９１】
本発明による組成物中のアニオン性界面活性剤の量は、完成した組成物を基準として好ましくは０．１〜３０．０重量％、特に好ましくは０．２〜２０．０重量％、また極めて好ましくは０．５〜１５．０重量％である。
【００９２】
好ましいカチオン性界面活性剤は、第四級アンモニウム塩、例えばジ−（Ｃ８〜Ｃ２２）−アルキル−ジメチルアンモニウムクロリドまたはブロミド、好ましくはジ−（Ｃ８〜Ｃ２２）−アルキル−ジメチルアンモニウムクロリドまたはブロミド；（Ｃ８〜Ｃ２２）−アルキル−ジメチル−エチルアンモニウムクロリドまたはブロミド；（Ｃ８〜Ｃ２２）−アルキル−トリメチルアンモニウムクロリドまたはブロミド、好ましくはセチルトリメチルアンモニウムクロリドまたはブロミド、および（Ｃ８〜Ｃ２２）−アルキル−トリメチルアンモニウムクロリドまたはブロミド；（Ｃ１０〜Ｃ２４）−アルキル−ジメチルベンジル−アンモニウムクロリドまたはブロミド、好ましくは（Ｃ１２〜Ｃ１８）−アルキル−ジメチルベンジル−アンモニウムクロリド、（Ｃ８〜Ｃ２２）−アルキル−ジメチル−ヒドロキシエチルアンモニウムクロリド、−リン酸塩、−硫酸塩、−乳酸塩、（Ｃ８〜Ｃ２２）−アルキルアミドプロピルトリメチルアンモニウムクロリド、−メトスルファート、Ｎ，Ｎ−ビス（２−（Ｃ８〜Ｃ２２）−アルカノイルオキシエチル）−ジメチルアンモニウムクロリド、−メトスルファート、Ｎ，Ｎ−ビス（２−（Ｃ８〜Ｃ２２）−アルカノイル−オキシエチル）ヒドロキシエチル−メチル−アンモニウムクロリド、−メトスルファートである。
【００９３】
本発明による組成物中のカチオン性界面活性剤の量は、完成した調合物を基準として好ましくは０．１〜１０．０重量％、特に好ましくは０．５〜７．０重量％、また極めて好ましくは１．０〜５．０重量％である。
【００９４】
非イオン性界面活性剤としては、脂肪族アルコールエトキシラート（アルキルポリエチレングリコール）；アルキルフェノールポリエチレングリコール；脂肪族アミンエトキシラート（アルキルアミノポリエチレングリコール）；脂肪酸エトキシラート（アシルポリエチレングリコール）；ポリプロピレングリコールエトキシラート（Ｐｌｕｒｏｎｉｃｓ（登録商標））；脂肪酸アルカノールアミド（脂肪酸アミドポリエチレングリコール）；サッカロースエステル；ソルビトールエステル、およびソルビタンエステル、およびそれらのポリグリコールエーテル、ならびにＣ８〜Ｃ２２アルキルポリグルコシドが好ましい。
【００９５】
本発明による組成物中の非イオン性界面活性剤の量（例えば易洗い流し製品の場合）は、完成した組成物を基準として、好ましくは１．０〜２０．０重量％の範囲、特に好ましくは２．０〜１０．０重量％、また極めて好ましくは３．０〜７．０重量％にある。
【００９６】
さらに、本発明による組成物は、両性界面活性剤を含有することもできる。これらは、長鎖の第二級または第三級アミンの誘導体ということができ、Ｃ８〜Ｃ１８のアルキル基を有する他、もう１つの基が、水溶性を与えるアニオン性基、例えばカルボキシル基、硫酸基、またはスルホン酸基で置換されている。好ましい両性界面活性剤は、アルカリ金属塩およびモノ−、ジ−およびトリ−アルキルアンモニウム塩としてのＮ−（Ｃ１２〜Ｃ１８）−アルキル−β−アミノプロピオン酸塩およびＮ−（Ｃ１２〜Ｃ１８）−アルキル−β−イミノジプロピオン酸塩である。さらなる適した界面活性剤は、アミンオキシドである。これは第三級アミンの酸化物であり、Ｃ８〜Ｃ１８の長鎖の基と、Ｃ１〜Ｃ４の大抵は短鎖の２つのアルキル基とを有する。ここで、例えば、Ｃ１０〜Ｃ１８アルキルジメチルアミンオキシド、脂肪酸アミドアルキル−ジメチルアミンオキシドが好ましい。
【００９７】
さらなる好ましい界面活性剤の群は、両性イオン界面活性剤とも呼ばれるベタイン界面活性剤である。これらは同一分子内に、特にアンモニウム基であるカチオン性基と、カルボキシラート基、硫酸基、またはスルホン酸基であってよいアニオン性基とを有する。適したベタインは、好ましくは、ココベタインまたは脂肪酸アルキルアミドプロピルベタインといったアルキルベタインであり、例えばココアシルアミドプロピルジメチルベタイン（Ｋｏｋｏｓａｃｙｌａｍｉｄｏｐｒｏｐｙｌｄｉｍｅｔｈｙｌｂｅｔａｉｎ）、またはＣ１２〜Ｃ１８ジメチルアミノヘキサノアート、あるいはＣ１０〜Ｃ１８アシルアミドプロパンジメチルベタインである。
【００９８】
本発明による組成物中の両性界面活性剤および／またはベタイン界面活性剤の量は、好ましくは完成した組成物を基準として０．５〜２０．０重量％、また特に好ましくは１．０〜１５．０重量％である。
【００９９】
好ましい界面活性剤は、ラウリル硫酸塩、ラウレス硫酸塩、コカミドプロピルベタイン、アルキルベタイン、例えばココベタイン、ココイルグルタミン酸ナトリウム塩、およびラウロアンホ酢酸塩である。
【０１００】
特に好ましい界面活性剤は、直鎖状または分岐状のＣ１〜Ｃ３０アルキル基、直鎖状または分岐状のモノまたはポリ不飽和Ｃ２〜Ｃ３０アルケニル基を有するアルキル化エーテル硫酸塩、ベタインおよびそれらの誘導体、また極めて好ましいのは、直鎖状または分岐状のＣ１２〜Ｃ２２アルキル基を有するアルキル化エーテル硫酸塩、ベタインおよびそれらの誘導体、ならびにそれらの混合物である。
【０１０１】
本発明のさらなる好ましい一実施形態では、本発明による組成物は、さらに起泡改良剤（ｓｃｈａｕｍｖｅｒｓｔａｅｒｋｅｎｄｅ  Ｍｉｔｔｅｌ）として、アルキルベタイン、アルキルアミドベタイン、アミノプロピオナート、アミノグリシナート、イミダゾリニウムベタイン、ならびにスルホベタイン、アミノオキシド、脂肪酸アルカノールアミド、およびポリヒドロキシアミドからなる群からの共界面活性剤を含有する。
【０１０２】
本発明による組成物は、さらなる助剤および添加物として、例えば、ワックス、乳化剤、乳化助剤、可溶化剤、電解質、ヒドロキシ酸、安定剤、カチオン性ポリマー、皮膜形成材、さらなる増粘剤、ゲル化剤、過脂肪剤、再加脂剤、抗菌作用物質、生体活性物質、収斂剤、脱臭物質、日焼け防止フィルター、酸化防止剤、保湿剤、溶媒、着色剤、パール光沢剤、香料、乳白剤、および／またはシリコーンを含有することができる。
【０１０３】
本発明による組成物は、例えばパラフィンワックス、マイクロワックス、およびオゾケライト、蜜ろうおよびその部分留分、ならびに蜜ろう誘導体などのワックス；ホモポリマーポリエチレンまたはα−オレフィンの共重合体からなる群からのワックス；さらには米ぬかワックス、キャンデリラワックス、カルナウバワックス、木ろう、またはシェラックワックスなどの天然ワックスを含有することができる。
【０１０４】
乳化剤、乳化助剤、および可溶化剤として、非イオン性、アニオン性、カチオン性、または両性の界面活性化合物を使用できる。
【０１０５】
非イオン性界面活性化合物として、好ましくは以下のものが考えられる。
０〜３０モルのエチレンオキシドおよび／または０〜５モルのプロピレンオキシドと、Ｃ８〜Ｃ２２直鎖状脂肪族アルコール、Ｃ１２〜Ｃ２２脂肪酸、アルキル基中に８〜１５個のＣ原子を有するアルキルフェノール、およびソルビタン−またはソルビトールエステルとの付加生成物；０〜３０モルのエチレンオキシドとグリセリンの付加生成物の（Ｃ１２〜Ｃ１８）−脂肪酸モノおよびジエステル；Ｃ６〜Ｃ２２の飽和および不飽和脂肪族酸、また場合によりそれらのエチレンオキシド付加生成物の、グリセリンモノおよびジエステルならびにソルビタンモノおよびジエステル；１５〜６０モルのエチレンオキシドとヒマシ油および／または硬化ヒマシ油との付加生成物；ポリオールエステル、特にポリグリセリンエステル、例えばポリグリセリンポリリシノール酸エステル、およびポリグリセリンポリ−１２−ヒドロキシステアリン酸エステル。同様に、好ましくは、エトキシ化脂肪族アミン、脂肪酸アミド、脂肪酸アルカノールアミド、およびこれらの物質類の複数の化合物の混合体が適している。
【０１０６】
イオン形成性乳化助剤として、例えば、アニオン性乳化剤、例えばモノ−、ジ−、またはトリ−リン酸エステル、石けん（例えば、ステアリン酸ナトリウム）、脂肪族アルコール硫酸エステル、さらにまたカチオン性乳化剤、例えばモノ−、ジ−、またはトリ−アルキルクワット（Ａｌｋｙｌｑｕａｔ）およびそれらのポリマー誘導体が適している。
【０１０７】
両性乳化剤としては、好ましくは、アルキルアミノアルキルカルボン酸、ベタイン、スルホベタイン、およびイミダゾリン誘導体を使用できる。
【０１０８】
特に好ましくは、エトキシ化ステアリルアルコール、イソステアリルアルコール、セチルアルコール、イソセチルアルコール、オレイルアルコール、ラウリルアルコール、イソラウリルアルコール、およびセチルステアリルアルコール、特に、ポリエチレングリコール（１３）ステアリルエーテル、ポリエチレングリコール（１４）ステアリルエーテル、ポリエチレングリコール（１５）ステアリルエーテル、ポリエチレングリコール（１６）ステアリルエーテル、ポリエチレングリコール（１７）ステアリルエーテル、ポリエチレングリコール（１８）ステアリルエーテル、ポリエチレングリコール（１９）ステアリルエーテル、ポリエチレングリコール（２０）ステアリルエーテル、ポリエチレングリコール（１２）イソステアリルエーテル、ポリエチレングリコール（１３）イソステアリルエーテル、ポリエチレングリコール（１４）イソステアリルエーテル、ポリエチレングリコール（１５）イソステアリルエーテル、ポリエチレングリコール（１６）イソステアリルエーテル、ポリエチレングリコール（１７）イソステアリルエーテル、ポリエチレングリコール（１８）イソステアリルエーテル、ポリエチレングリコール（１９）イソステアリルエーテル、ポリエチレングリコール（２０）イソステアリルエーテル、ポリエチレングリコール（１３）セチルエーテル、ポリエチレングリコール（１４）セチルエーテル、ポリエチレングリコール（１５）セチルエーテル、ポリエチレングリコール（１６）セチルエーテル、ポリエチレングリコール（１７）セチルエーテル、ポリエチレングリコール（１８）セチルエーテル、ポリエチレングリコール（１９）セチルエーテル、ポリエチレングリコール（２０）セチルエーテル、ポリエチレングリコール（１３）イソセチルエーテル、ポリエチレングリコール（１４）イソセチルエーテル、ポリエチレングリコール（１５）イソセチルエーテル、ポリエチレングリコール（１６）イソセチルエーテル、ポリエチレングリコール（１７）イソセチルエーテル、ポリエチレングリコール（１８）イソセチルエーテル、ポリエチレングリコール（１９）イソセチルエーテル、ポリエチレングリコール（２０）イソセチルエーテル、ポリエチレングリコール（１２）オレイルエーテル、ポリエチレングリコール（１３）オレイルエーテル、ポリエチレングリコール（１４）オレイルエーテル、ポリエチレングリコール（１５）オレイルエーテル、ポリエチレングリコール（１２）ラウリルエーテル、ポリエチレングリコール（１２）イソラウリルエーテル、ポリエチレングリコール（１３）セチルステアリルエーテル、ポリエチレングリコール（１４）セチルステアリルエーテル、ポリエチレングリコール（１５）セチルステアリルエーテル、ポリエチレングリコール（１６）セチルステアリルエーテル、ポリエチレングリコール（１７）セチルステアリルエーテル、ポリエチレングリコール（１８）セチルステアリルエーテル、ポリエチレングリコール（１９）セチルステアリルエーテルからなる群から選択される脂肪族アルコールエトキシラートが使用される。
【０１０９】
同様に、エトキシ化ステアラート、イソステアラートおよびオレアート、特に、ポリエチレングリコール（２０）ステアラート、ポリエチレングリコール（２１）ステアラート、ポリエチレングリコール（２２）ステアラート、ポリエチレングリコール（２３）ステアラート、ポリエチレングリコール（２４）ステアラート、ポリエチレングリコール（２５）ステアラート、ポリエチレングリコール（１２）イソステアラート、ポリエチレングリコール（１３）イソステアラート、ポリエチレングリコール（１４）イソステアラート、ポリエチレングリコール（１５）イソステアラート、ポリエチレングリコール（１６）イソステアラート、ポリエチレングリコール（１７）イソステアラート、ポリエチレングリコール（１８）イソステアラート、ポリエチレングリコール（１９）イソステアラート、ポリエチレングリコール（２０）イソステアラート、ポリエチレングリコール（２１）イソステアラート、ポリエチレングリコール（２２）イソステアラート、ポリエチレングリコール（２３）イソステアラート、ポリエチレングリコール（２４）イソステアラート、ポリエチレングリコール（２５）イソステアラート、ポリエチレングリコール（１２）オレアート、ポリエチレングリコール（１３）オレアート、ポリエチレングリコール（１４）オレアート、ポリエチレングリコール（１５）オレアート、ポリエチレングリコール（１６）オレアート、ポリエチレングリコール（１７）オレアート、ポリエチレングリコール（１８）オレアート、ポリエチレングリコール（１９）オレアート、ポリエチレングリコール（２０）オレアートからなる群から選択される脂肪酸エトキシラートも好ましい。
【０１１０】
エトキシ化アルキルエーテルカルボン酸またはその塩としては、有利には、ラウリルエーテル−１１−カルボン酸ナトリウム（Ｎａｔｒｉｕｍ  Ｌａｕｒｅｔｈ−１１−ｃａｒｂｏｘｙｌａｔ）を使用できる。
【０１１１】
エトキシ化トリグリセリドとしては、有利には、ポリエチレングリコール（６０）マツヨイグサグリセリドを使用できる。
【０１１２】
さらに、ポリエチレングリコール（２０）グリセリルラウラート、ポリエチレングリコール（６）グリセリルカプラート／カプリナート、ポリエチレングリコール（２０）グリセリルオレアート、ポリエチレングリコール（２０）グリセリルイソステアラートおよびポリエチレングリコール（１８）グリセリルオレアート／ヤシ油脂肪酸エステルからなる群から選択されるポリエチレングリコールグリセリン脂肪酸エステルが有利である。
【０１１３】
ソルビタンエステルのうち、ポリエチレングリコール（２０）ソルビタンモノラウラート、ポリエチレングリコール（２０）ソルビタンモノステアラート、ポリエチレングリコール（２０）ソルビタンモノイソステアラート、ポリエチレングリコール（２０）ソルビタンモノパルミタート、ポリエチレングリコール（２０）ソルビタンモノオレアートが特に適している。
【０１１４】
特に有利な乳化助剤剤は、グリセリルモノステアラート、グリセリルモノオレアート、ジグリセリルモノステアラート、グリセリルイソステアラート、ポリグリセリル−３−オレアート、ポリグリセリル−３−ジイソステアラート、ポリグリセリル−４−イソステアラート、ポリグリセリル−２−ジポリヒドロキシステアラート、ポリグリセリル−４−ジポリヒドロキシステアラート、ＰＥＧ−３０−ジポリヒドロキシステアラート、ジイソステアロイルポリグリセリル−３−ジイソステアラート、グリコールジステアラートおよびポリグリセリル−３−ジポリヒドロキシステアラート、ソルビタンモノイソステアラート、ソルビタンステアラート、ソルビタンオレアート、サッカロースジステアラート、レシチン、ＰＥＧ−７−水添ヒマシ油、セチルアルコール、ステアリルアルコール、ベヘニルアルコール、イソベヘニルアルコール、およびポリエチレングリコール（２）ステアリルエーテル（ステアレス−２）、アルキルメチコンコポリオールおよびアルキル−ジメチコンコポリオール、特にセチルジメチコンコポリオール、ラウリルメチコンコポリオールである。
【０１１５】
本発明による組成物は、１種または複数種の乳化剤、乳化助剤、または可溶化剤を、完成された組成物を基準として、０．１〜２０．０重量％、好ましくは１．０〜１５．０重量％、また特に好ましくは３．０〜１０．０重量％の量で含有することができる。
【０１１６】
電解質としては、無機塩、好ましくはアンモニウム塩または金属塩、特に好ましくはハロゲン化物、例えばＣａＣｌ２、ＭｇＣｌ２、ＬｉＣｌ、ＫＣｌ、およびＮａＣｌ、炭酸塩、炭酸水素塩、リン酸塩、硫酸塩、硝酸塩、特に好ましくは塩化ナトリウム、および／または有機塩、好ましくはアンモニウム塩、または金属塩、特に好ましくはグリコール酸、乳酸、クエン酸、酒石酸、マンデル酸、サリチル酸、アスコルビン酸、焦性ブドウ酸、フマル酸、レチノイン酸、スルホン酸、安息香酸、コウジ酸、フルーツ酸、リンゴ酸、グルコン酸、またはガラクツロン酸の塩を使用できる。
【０１１７】
ここには、アルミニウム塩、好ましくはクロルヒドロキシアルミニウムまたはアルミニウム−ジルコニウム錯塩も含まれる。
【０１１８】
本発明の好ましい実施形態では、本発明による組成物は、したがって無機および有機塩から選択された１種または複数種の物質を含む。
【０１１９】
本発明による組成物は、電解質として、異なる塩の混合物を含有することもできる。１種または複数種の電解質の含量は、本発明による組成物全量を基準として好ましくは０．０１〜２０．０重量％、特に好ましくは０．１〜１０．０重量％、また極めて好ましくは０．５〜５．０重量％である。
【０１２０】
本発明によるポリマーは、酸に安定であり、好ましくは、ｐＨ値が２〜６と低い化粧用、医薬用、および／または皮膚科用組成物への使用に、とりわけ毛髪および皮膚の洗浄用およびボディートリートメント用製品に適している。
【０１２１】
酸性添加剤およびその塩の使用は、場合により化粧用または皮膚科用組成物のｐＨ値を明確に酸性の範囲に調整することを不可欠とする。
【０１２２】
本発明のさらなる好ましい実施形態では、本発明による組成物は、１つまたは複数のヒドロキシ酸、特に好ましくは、α−およびβ−ヒドロキシ酸から選択される１つまたは複数の物質を含有する。
【０１２３】
ヒドロキシ酸について、本発明による組成物は、好ましくは、乳酸、グリコール酸、サリチル酸、およびアルキル化サリチル酸またはクエン酸を含むことができる。加えて、本発明による調合物は、さらなる酸性成分を含むこともできる。作用物質としては、酒石酸、マンデル酸、コーヒー酸、焦性ブドウ酸、オリゴオキサモノ−およびジカルボン酸、フマル酸、レチノイン酸、スルホン酸、安息香酸、コージ酸、フルーツ酸、リンゴ酸、グルコン酸、ピルビン酸、ガラクツロン酸、リボン酸、およびそれらの全ての誘導体、ポリグリコール二酸の遊離体または部分中和体、ビタミンＣ（アスコルビン酸）、ビタミンＣ誘導体、ジヒドロキシアセトン、または肌の美白成分、例えばアルブチンまたはグリチルレチン酸およびその塩が対象となる。１種または複数種のこれら物質の含量は、本発明による組成物全量を基準として、好ましくは０．１〜２０．０重量％、特に好ましくは０．２〜１０．０重量％、また極めて好ましくは０．５〜５．０重量％である。
【０１２４】
本発明のさらなる好ましい実施形態では、本発明による組成物は、したがってビタミンＣおよびビタミンＣ誘導体から選択される１つまたは複数の物質を含み、このときビタミンＣ誘導体は、好ましくは、アスコルビルリン酸ナトリウム、アスコルビルリン酸マグネシウム、およびマグネシウムアスコルビルグルコシドから選択される。
【０１２５】
本発明のさらなる好ましい実施形態では、本発明による組成物は、安息香酸、ソルビン酸、サリチル酸、乳酸、およびパラメトキシ安息香酸から選択される１つまたは複数の物質を含む。本発明によるポリマーが、酸性ｐＨ域においても増粘し、降伏点を形成することから、上掲の有機酸を保存剤として働かせることができる。
【０１２６】
本発明によるコポリマーには、追加の安定剤として、脂肪酸の金属塩、例えばマグネシウム、アルミニウム、および／または亜鉛ステアラートを、好ましくは、完成した組成物を基準として０．１〜１０．０重量％、好ましくは０．５〜８．０重量％、また特に好ましくは１．０〜５．０重量％の量で使用できる。
【０１２７】
カチオン性ポリマーとして、ＩＮＣＩ名で「ポリクオタニウム」として知られたもの、特に特にポリクオタニウム−３１、ポリクオタニウム−１６、ポリクオタニウム−２４、ポリクオタニウム−７、ポリクオタニウム−２２、ポリクオタニウム−３９、ポリクオタニウム−２８、ポリクオタニウム−２、ポリクオタニウム−１０、ポリクオタニウム−１１、ならびにポリクオタニウム−３７＆ミネラルオイル＆ＰＰＧトリデセス（Ｓａｌｃａｒｅ  ＳＣ９５）、ＰＶＰ−ジメチルアミノエチルメタクリラート−コポリマー、グアー−ヒドロキシプロピルトリアンモニウム−クロリド、ならびにアルギン酸カルシウム塩、およびアルギン酸アンモニウム塩が適している。さらに、カチオン性セルロース誘導体；カチオン性デンプン；ジアリルアンモニウム塩とアクリルアミドのコポリマー；四級化されたビニルピロリドン／ビニルイミダゾール−ポリマー；ポリグリコールとアミンの縮合生成物；四級化されたコラーゲンポリペプチド；四級化された小麦ポリペプチド；ポリエチレンイミン；カチオン性シリコーンポリマー、例えばアミドメチコン；アジピン酸とジメチルアミノヒドロキシプロピルジエチレントリアミンのコポリマー；ポリアミノポリアミドおよびカチオン性キチン誘導体、例えばキトサンを使用できる。
【０１２８】
本発明による組成物は、上に挙げた１種または複数種のカチオン性ポリマーを、完成した組成物を基準として０．１〜５．０重量％、好ましくは０．２〜３．０重量％、また特に好ましくは０．５〜２．０重量％の量で含むことができる。
【０１２９】
さらに、本発明による組成物は、用途に合わせて、フェニルベンズイミダゾールスルホン酸の塩、水溶性ポリウレタン、例えばＣ１０−ポリカルバミルポリグリセリルエステル、ポリビニルアルコール、ポリビニルピロリドンコポリマー、例えばビニルピロリドン／酢酸ビニルコポリマー、水溶性アクリル酸ポリマー／コポリマーまたはそのエステルまたは塩、例えばアクリル／メタクリル酸の部分エステルコポリマー、水溶性セルロース、例えばヒドロキシメチルセルロース、ヒドロキシエチルセルロース、ヒドロキシプロピルセルロース、水溶性クオタニウム、ポリクオタニウム、カルボキシビニルポリマー、例えばカルボマーおよびその塩、ポリサッカリド、例えばポリデキストロース、およびグルカン、例えば商品名Ａｒｉｓｔｏｆｌｅｘ（登録商標）Ａ  ６０（Ｃｌａｒｉａｎｔ社）として入手可能な酢酸ビニル／クロトン酸塩から選択される皮膜形成材を含有できる。
【０１３０】
本発明による組成物は、１種または複数種の皮膜形成材を、完成した組成物を基準として０．１〜１０．０重量％、好ましくは０．２〜５．０重量％、また特に好ましくは０．５〜３．０重量％の量で含有できる。
【０１３１】
組成物は、さらなる増粘剤およびゲル化剤の添加により、所望の粘度に調節できる。好ましくは、セルロースエーテル、および他のセルロース誘導体（例えば、カルボキシメチルセルロース、ヒドロキシエチルセルロース）、ゼラチン、デンプン、およびデンプン誘導体、アルギン酸ナトリウム塩、脂肪酸ポリエチレングリコールエステル、寒天、トラガントまたはデキストリン誘導体、特にデキストリンエステルが考えられる。さらに、好ましくはＣ１２〜Ｃ２２である脂肪酸の金属塩、例えばステアリン酸ナトリウム、パルミチン酸ナトリウム、ラウリン酸ナトリウム、アラキジン酸ナトリウム、ベヘン酸ナトリウム、ステアリン酸カリウム、パルミチン酸カリウム、ミリスチン酸ナトリウム、モノステアリン酸アルミニウム、ヒドロキシ脂肪酸、例えば、１２−ヒドロキシステアリン酸、１６−ヒドロキシヘキサデカノイル酸；脂肪酸アミド；脂肪酸アルカノールアミド；ジベンザルソルビトール、およびアルコール溶解性ポリアミド、およびポリアクリルアミド、またはそれらの混合物が適している。さらに、架橋させたおよび無架橋のポリアクリラート、例えばカルボマー、ナトリウムポリアクリラート、または含スルホン酸ポリマー、例えばアンモニウムアクリロイルジメチルタウラート／ＶＰコポリマーを使用できる。
【０１３２】
本発明のさらなる好ましい一実施形態では、本発明による組成物は、増粘剤またはゲル化剤を、完成した本発明による組成物を基準として０．０１〜２０．０重量％、特に好ましくは０．１〜１０．０重量％、極めて好ましくは０．２〜３．０重量％、また、非常に好ましくは０．４〜２．０重量％含有する。
【０１３３】
過脂肪剤あるいは保湿剤（Ｒｕｅｃｋｆｅｔｔｅｒ）としては、好ましくはラノリンおよびレシチン、非エトキシ化およびポリエトキシ化またはアシル化したラノリン誘導体およびレシチン誘導体、ポリオール脂肪酸エステル、モノ−、ジ−、およびトリグリセリド、および／または脂肪酸アルカノールアミド（これは同時に起泡安定剤としても働く）を使用することができ、これらは、完成した本発明による調合物を基準として、好ましくは０．０１〜１０．０重量％、特に好ましくは０．１〜５．０重量％、また極めて好ましくは０．５〜３．０重量％の量で使用される。
【０１３４】
抗菌作用物質には、セチルトリメチルアンモニウムクロリド、セチルピリジニウムクロリド、ベンゼトニウムクロリド、ジイソブチルエトキシエチルジメチルベンジルアンモニウムクロリド、Ｎ−ラウリルサルコシン酸ナトリウム、Ｎ−パルメチルサルコシン酸ナトリウム、ラウロイルサルコシン、Ｎ−ミリストイルグリシン、Ｎ−ラウリルサルコシン酸カリウム、塩化トリメチルアンモニウム、アルミニウムクロロヒドロキシ乳酸ナトリウム、クエン酸トリエチル、トリセチルメチルアンモニウムクロリド、２，４，４’−トリクロロ−２’−ヒドロキシジフェニルエーテル（トリクロサン）、フェノキシエタノール、１，５−ペンタンジオール、１，６−ヘキサンジオール、３，４，４’−トリクロロカルバニリド（トリクロカルバン）、ジアミノアルキルアミド、例えば、Ｌ−リジンヘキサデシルアミド、クエン酸エステル重金属塩、サリチラート、ピロクトース、特に亜鉛塩、ピリチオン、およびその重金属塩、特にピリチオン亜鉛、フェノール硫酸亜鉛、ファルネソール、ケトコナゾール、オキシコナゾール、ビフォナゾール、ブトコナゾール、クロコナゾール、クロトリマゾール、エコナゾール、エニルコナゾール、フェンチコナゾール、イソコナゾール、ミコナゾール、スルコナゾール、チオコナゾール、フルコナゾール、イトラコナゾール、テルコナゾール、ナフチフィン、およびテルビナフィン、二硫化セレン、およびＯｃｔｏｐｉｒｏｘ（登録商標）、ブチルカルバミン酸ヨウ化プロピニル、メチルクロロイソチアゾリノン、メチルイソチアゾリノン、メチルジブロモグルタロニトリル、ＡｇＣｌ、クロロキシレノール、ジエチルヘキシルスルホコハク酸のＮａ塩、安息香酸ナトリウム、ならびにフェノキシエタノール、ベンジルアルコール、フェノキシイソプロパノール、パラベン、好ましくはブチル、エチル、メチル、およびプロピルパラベン、ならびにそれらのＮａ塩、ペンタンジオール、１，２−オクタンジオール、２−ブロモ−２−ニトロプロパン−１，３−ジオール、エチルヘキシルグリセリン、ベンジルアルコール、ソルビン酸、安息香酸、乳酸、イミドアゾリジニル尿素、ジアゾリジニル尿素、ジメチロールジメチルヒダントイン（ＤＭＤＭＨ）、ヒドロキシメチルグリシネートのＮａ塩、ソルビン酸のヒドロキシエチルグリシンおよびこれら作用物質の組合せを使用できる。
【０１３５】
本発明による組成物は、抗菌作用物質を、完成した本発明による組成物を基準として、好ましくは０．００１〜５．０重量％、特に好ましくは０．０１〜３．０重量％、また極めて好ましくは０．１〜２．０重量％の量で含有する。
【０１３６】
本発明による組成物はさらに、植物抽出物、例えばアロエ、および局所麻酔剤、抗生物質、消炎剤、抗アレルギー剤、副腎皮質ステロイド、皮脂抑制剤、Ｂｉｓａｂｏｌｏｌ（登録商標）、アラントイン、Ｐｈｙｔａｎｔｒｉｏｌ（登録商標）、タンパク質、ビタミン（ナイアシン、ビオチン、ビタミンＢ２、ビタミンＢ３、ビタミンＢ６、ビタミンＢ３誘導体（塩、酸、エステル、アミド、アルコール）、ビタミンＣおよびビタミンＣ誘導体（塩、酸、エステル、アミド、アルコール）、好ましくはアスコルビン酸のモノリン酸エステルのナトリウム塩として、またはアスコルビン酸のリン酸エステルのマグネシウム塩としてのもの、トコフェロールおよび酢酸トコフェロール、ならびにビタミンＥおよび／またはその誘導体から選択される）から選択される生体作用物質を含むことができる。
【０１３７】
本発明による組成物は、生体作用物質を、完成した組成物を基準として、好ましくは０．００１〜５．０重量％、特に好ましくは０．０１〜３．０重量％、また極めて好ましくは０．１〜２．０重量％の量で含有することができる。
【０１３８】
本発明による組成物は、収斂剤、好ましくは酸化マグネシウム、酸化アルミニウム、二酸化チタン、二酸化ジルコニウム、および酸化亜鉛、酸化物水和物、好ましくは酸化アルミニウム水和物（ベーマイト）、および水酸化物、好ましくはカルシウム、マグネシウム、アルミニウム、チタン、ジルコニウムまたは亜鉛の水酸化物、ならびにクロルヒドロキシアルミニウムを、好ましくは０〜５０．０重量％の量、特に好ましくは０．０１〜１０．０重量％の量、また極めて好ましくは０．１〜１０．０重量％の量で含有することができる。
【０１３９】
脱臭物質としては、アラントインおよびビサボロールが好ましい。これらは、好ましくは０．０００１〜１０．０重量％の量で使用される。
【０１４０】
本発明のさらなる好ましい実施形態では、本発明による組成物は、無機および有機ＵＶフィルターから選択される１つまたは複数の物質を含み、特に好ましくは日焼け防止組成物の形をとっている。
【０１４１】
本発明による組成物は、顔料/微粒子顔料として、ならびにまた無機日焼け防止フィルター、ないしＵＶ−フィルターとして、微小二酸化チタン、雲母−酸化チタン、酸化鉄、雲母−酸化鉄、酸化亜鉛、酸化ケイ素、ウルトラマリンブルー、あるいは酸化クロムを含有することができる。
【０１４２】
有機日焼け防止フィルター、ないしＵＶ−フィルターは、好ましくは４−アミノ安息香酸、３−（４’−トリメチルアンモニウム）ベンジリデン−ボラン−２−オン−メチルスルファート、カンファーベンザルコニウムメトスルファート、３，３，５−トリメチル−シクロヘキシルサリチラート、２−ヒドロキシ−４−メトキシベンゾフェノン、２−フェニルベンズイミダゾール−５−スルホン酸およびそのカリウム、ナトリウム、およびトリエタノールアミン塩、３，３’−（１，４−フェニレンジメチン）−ビス−（７，７−ジメチル−２−オキソビシクロ［２．２．１］−ヘプタン−１−メタンスルホン酸）およびその塩、１−（４−ｔｅｒｔ．−ブチルフェニル）−３−（４−メトキシフェニル）プロパン−１，３−ジオン、３−（４’−スルホ）−ベンジリデン−ボルナン−２−オンおよびその塩、２−シアノ−３，３−ジフェニル−アクリル酸−（２−エチルヘキシルエステル）、Ｎ−［２（および４）−（２−オキソボルン−３−イリデンメチル）ベンジル］−アクリルアミドのポリマー、４−メトキシ−ケイ皮酸−２−エチル−ヘキシルエステル、エトキシ化エチル−４−アミノ−安息香酸塩、４−メトキシ−ケイ皮酸−イソアミルエステル、２，４，６−トリス−［ｐ−（２−エチルヘキシルオキシカルボニル）アニリノ］−１，３，５−トリアジン、２−（２Ｈ−ベンゾトリアゾール−２−イル）−４−メチル−６−（２−メチル−３−（１，３，３，３−テトラメチル−１−（トリメチルシリルオキシ）−ジシロキサニル）−プロピル）フェノール、４，４’−［（６−［４−（（１，１−ジメチルエチル）−アミノ−カルボニル）フェニルアミノ］−１，３，５−トリアジン−２，４−イル）ジイミノ］ビス−（安息香酸−２−エチルヘキシルエステル）、ベンゾフェノン−３、ベンゾフェノン−４（酸）、３−（４’−メチルベンジリデン）−Ｄ，Ｌ−カンファー、３−ベンジリデン−カンファー、サリチル酸−２−エチルヘキシルエステル、４−ジメチルアミノ安息香酸−２−エチルヘキシルエステル、ヒドロキシ−４−メトキシ−ベンゾフェノン−５−スルホン酸（スルフィソベンゾヌム）およびナトリウム塩、４−イソプロピルベンジルサリチラート、Ｎ，Ｎ，Ｎ−トリメチル−４−（２−オキソボルン−３−イリデンメチル）アニリウムメチルスルファート、ホモサラート（ＩＮＮ）、オキシベンゾン（ＩＮＮ）、２−フェニルベンズイミダゾール−５−スルホン酸およびそのナトリウム、カリウム、およびトリエタノールアミン塩、オクチルメトキシケイ皮酸、イソペンチル−４−メトキシケイ皮酸、イソアミル−ｐ−メトキシケイ皮酸、２，４，６−トリアニリノ−（ｐ−カルボ−２’−エチルヘキシル−１’−オキシ）−１，３，５−トリアジン（オクチルトリアゾン）、フェノール、２−２（２Ｈ−ベンゾトリアゾール−２−イル）−４−メチル−６−（２−メチル−３−（１，３，３，３−テトラメチル−１−（トリメチルシリル）オキシ）−ジシロキサニル）プロピル（ドロメトリゾールトリシロキサン）安息香酸、４，４−（（６−（（（１，１−ジメチルエチル）アミノ）カルボニル）フェニル）アミノ）−１，３，５−トリアジン−２，４−ジイル）ジイミノ）ビス，ビス（２−エチルヘキシル）エステル）安息香酸、４，４−（（６−（（（１，１−ジメチルエチル）アミノ）−カルボニル）フェニル）アミノ）−１，３，５−トリアジン−２，４−ジイル）ジイミノ）ビス−，ビス（２−エチルヘキシル）エステル）、３−（４’−メチルベンジリデン）−Ｄ，Ｌ−カンファー（４−メチルベンジリデンカンファー）、ベンジリデン−カンファー−スルホン酸、オクトクリレン、ポリアクリルアミドメチル−ベンジリデン−カンファー、２−エチルヘキシルサリチル酸塩（オクチルサリチル酸塩）、４−ジメチル−アミノ安息香酸エチル−２−ヘキシルエステル（オクチルジメチルＰＡＢＡ）、ＰＥＧ−２５  ＰＡＢＡ、２−ヒドロキシ−４−メトキシベンゾ−フェノン−５−スルホン酸（ベンゾフェノン−５）およびＮａ−塩、２，２’−メチレン−ビス−６−（２Ｈ−ベンゾトリアゾール−２−イル）−４−（テトラメチル−ブチル）−１，１，３，３−フェノール、２−２’−ビス−（１，４−フェニレン）１Ｈ−ベンズイミダゾール−４，６−ジスルホン酸のナトリウム塩、（１，３，５）−トリアジン−２，４−ビス（（４−（２−エチル−ヘキシルオキシ）−２−ヒドロキシ）−フェニル）−６−（４−メトキシフェニル）、２−エチルヘキシル−２−シアノ−３，３−ジフェニル−２−プロペノアート、グリセリルオクタノアート、ジ−ｐ−メトキシケイ皮酸、ｐ−アミノ安息香酸およびそのエステル、４−ｔｅｒｔ−ブチル−４’−メトキシジベンゾイルメタン、４−（２−β−グルコピラノキシ）プロポキシ−２−ヒドロキシベンゾフェノン、オクチルサリチル酸塩、メチル−２，５−ジイソプロピルケイ皮酸、シノキサート、ジヒドロキシ−ジメトキシベンゾフェノン、２，２’−ジヒドロキシ−４，４’−ジメトキシ−５，５’−ジスルホベンゾフェノンの二ナトリウム塩、ジヒドロキシベンゾフェノン、１，３，４−ジメトキシフェニル−４，４−ジメチル−１，３−ペンタンジオン、２−エチルヘキシル−ジメトキシベンジリデン−ジオキソイミドアゾリジンプロピオナート、メチレン−ビス−ベンズトリアゾリルテトラメチルブチルフェノール、フェニルジベンズイミダゾールテトラスルホン酸塩、ビス−エチルヘキシルオキシフェノール−メトキシフェノール−トリアジン、テトラヒドロキシベンゾフェノン、テレフタリリデンジカンファースルホン酸、２，４，６−トリス［４，２−エチルヘキシルオキシカルボニル）アニリノ］−１，３，５−トリアジン、メチル−ビス（トリメチルシロキシ）シリル−イソペンチルトリメトキシ−ケイ皮酸、アミル−ｐ−ジメチルアミノ安息香酸塩、アミル−ｐ−ジメチルアミノ安息香酸塩、２−エチルヘキシル−ｐ−ジメチルアミノ安息香酸塩、イソプロピル−ｐ−メトキシケイ皮酸／ジイソプロピルケイ皮酸エステル、２−エチルヘキシル−ｐ−メトキシケイ皮酸、２−ヒドロキシ−４−メトキシベンゾフェノン、２−ヒドロキシ−４−メトキシベンゾフェノン−５−スルホン酸および三水和物、ならびに２−ヒドロキシ−４−メトキシベンゾフェノン−５−スルホン酸ナトリウム塩、およびフェニル−ベンズイミダゾール−スルホン酸から選択される。
【０１４３】
本発明による組成物中での前述の日焼け防止フィルター（１種または複数種の化合物）の量は、完成した組成物の全重量を基準として、好ましくは０．００１〜３０．０重量％、特に好ましくは０．０５〜２０．０重量％、また極めて好ましくは１．０〜１０．０重量％である。
【０１４４】
本発明による組成物は、好ましくは、アミノ酸（例えば、グリシン、ヒスチジン、チロシン、トリプトファン）およびその誘導体、イミダゾール（例えば、ウロカニン酸）およびその誘導体、ペプチド（例えば、Ｄ，Ｌ−カルノシン、Ｄ−カルノシン、Ｌ−カルノシン）およびその誘導体（例えば、アンセリン）、カロチノイド、カロチン（例えば、α−カロチン、β−カロチン、リコペン）およびその誘導体、クロロゲン酸およびその誘導体、リポ酸およびその誘導体（例えば、ジヒドロリポ酸）、金チオグルコース、プロピルチオウラシルおよびその他のチオール（例えば、チオレドキシン、グルタチオン、システイン、シスチン、シスタミンおよびそのグリコシル−、Ｎ−アセチル−、メチル−、エチル−、プロピル−、アミル−、ブチル−、ラウリル−、パルミトイル−、オレイル−、γ−リノレイル−、コレステリル−、およびグリセリルエステル）ならびにその塩、ジラウリルチオジプロピオナート、ジステアリルチオジプロピオナート、チオジプロピオン酸およびその誘導体（例えば、エステル、エーテル、ペプチド、脂質、ヌクレオチド、ヌクレオシドおよび塩）、ならびに、適合可能な非常に少ない添加量でのスルホキシイミン化合物（例えば、ブチオニンスルホキシイミン、ホモシステインスルホキシイミン、ブチオニンスルホン、ペンタ−、ヘキサ−、ヘプタチオニンスルホキシイミン）、さらに（金属）キレート剤（例えば、α−ヒドロキシ脂肪酸、パルミチン酸、フィチン酸、ラクトフェリン）、α−ヒドロキシ酸（例えば、クエン酸、乳酸、リンゴ酸）、フミン酸、胆汁酸、胆汁抽出物、ビリルビン、ビリベルジン、ＥＤＴＡ、ＥＧＴＡおよびその誘導体、不飽和脂肪酸およびその誘導体（例えば、γ−リノレン酸、リノール酸、油酸）、葉酸およびその誘導体、ユビキノンおよびユビキノールおよびその誘導体、ビタミンＣおよび誘導体（例えば、アスコルビルパルミチン酸塩、アスコルビルリン酸−Ｍｇ塩、酢酸アスコルビル）、トコフェロールおよび誘導体（例えば、ビタミンＥ−アセタート）、ビタミンＡおよび誘導体（ビタミンＡ−パルミタート）ならびに安息香樹脂のコニフェリルベンゾアート、ルチン酸およびその誘導体、α−グリコシルルチン、フェルラ酸、フルフリリデングルシトール、カルノシン、ブチルヒドロキシトルエン、ブチルヒドロキシアニソール、ノルジヒドログアヤク樹脂酸、ノルジヒドログアイアレチン酸、トリヒドロキシブチロフェノン、尿酸およびその誘導体、マンノースおよびその誘導体、亜鉛およびその誘導体（例えば、ＺｎＯ、ＺｎＳＯ４）、セレンおよびその誘導体（例えば、セレンメチオニン）、スチルベンおよびその誘導体（例えば、スチルベン酸化物、ｔｒａｎｓ−スチルベン酸化物）、超酸化物−ジスムターゼ、および上掲の物質の本発明に適した誘導体（塩、エステル、エーテル、糖、ヌクレオチド、ヌクレオシド、ペプチドおよび脂質）から選択される１種または複数種の酸化防止剤を含有することができる。
【０１４５】
酸化防止剤は、皮膚および毛髪を酸化から守ることができる。このとき、好ましい酸化防止剤は、ビタミンＥおよびその誘導体、ならびにビタミンＡおよびその誘導体である。
【０１４６】
本発明による組成物中の１種または複数種の酸化防止剤の量は、組成物の全重量を基準として、好ましくは０．００１〜３０．０重量％、特に好ましくは０．０５〜２０．０重量％、また極めて好ましくは１．０〜１０．０重量％である。
【０１４７】
さらに、２−ピロリドン−５−カルボン酸塩のナトリウム塩（ＮａＰＣＡ）、グアニジン、グリコール酸およびその塩、乳酸およびその塩、グルコサミンおよびその塩、ラクトアミドモノエタノールアミン、アセトアミドモノエタノールアミン、尿素、ヒドロキシ酸、パンテノールおよびその誘導体、例えばＤ−パンテノール（Ｒ−２，４−ジヒドロキシ−Ｎ−（３−ヒドロキシプロピル）−３，３−ジメチルブタミド）、Ｄ，Ｌ−パンテノール、パントテン酸カルシウム、パンテチン、パントテイン、パンテニルエチルエーテル、パルミチン酸イソプロピル、グリセリンおよび／またはソルビトールから選択される保湿剤を、完成した組成物を基準として、好ましくは０．１〜１５．０重量％、特に好ましくは０．５〜５．０重量％の量で使用することができる。
【０１４８】
加えて、本発明による組成物は、有機溶媒を含むことができる。原理的には、全ての一価または多価アルコールが有機溶媒として考えられる。好ましくは、Ｃ１〜Ｃ４アルコール、例えばエタノール、プロパノール、イソプロパノール、ｎ−ブタノール、ｉ−ブタノール、ｔ−ブタノール、グリセリン、および上記のアルコールの混合物が使用される。さらなる好ましいアルコールは、相対分子質量が２０００未満のポリエチレングリコールである。特に、相対分子質量が２００〜６００のポリエチレングリコールを最大で４５．０重量％の量、および相対分子質量が４００〜６００のポリエチレングリコールを５．０〜２５．０重量％の量で使用するのが好ましい。さらなる適した溶媒には、例えば、トリアセチン（グリセリントリアセタート）、および１−メトキシ−２−プロパノールがある。
【０１４９】
本発明による組成物は、着色剤、例えば染料および／または顔料から選択される１種または複数種の物質を含有することができる。本発明による調合物に含有される染料および／または顔料は、有機、無機の染料および顔料を問わず、対応した化粧品規制によるポジティブ・リスト、あるいはＥＧ化粧用色素リストから選定されている。
【０１５０】
【表１】
0005456880.tif 000010
0005456880.tif 000011
0005456880.tif 000012
0005456880.tif 000013
0005456880.tif 000014
0005456880.tif 000015
【０１５１】
さらに有利なものに、油溶性の天然染料、例えばトウガラシ抽出物、β−カロチン、およびコチニールがある。
【０１５２】
パール光沢顔料、例えば魚鱗箔（魚鱗からのグアニン／ヒポキサンチン混合結晶）、および真珠層（磨砕した貝殻）、単結晶パール光沢顔料、例えば、オキシ塩化ビスマス（ＢｉＯＣｌ）、層−基質顔料、例えば雲母／金属酸化物、ＴｉＯ２からの銀白色パール光沢顔料、光干渉顔料（ＴｉＯ２、様々な層厚）、色光沢顔料（Ｆｅ２Ｏ３）、および複合顔料（ＴｉＯ２／Ｆｅ２Ｏ３、ＴｉＯ２／Ｃｒ２Ｏ３、ＴｉＯ２／紺青、ＴｉＯ２／カルミン）も有利に使用される。
【０１５３】
本発明において効果顔料とは、その屈折特性により特別な光学的効果を生じる顔料と理解される。効果顔料は、処理した表面（皮膚、毛髪、粘膜）に光沢または艶をもたらし、あるいは光の拡散散乱で皮膚の凹凸や肌のシワを光学的に隠すことができる。効果顔料の特別な実施形態として、光干渉顔料が好ましい。特に好適な効果顔料は、例えば、少なくとも１種の金属酸化物でコーティングされた雲母粒子である。雲母、層状ケイ酸塩の他にも、シリカゲルおよび他のＳｉＯ２変態形が支持体として適している。しばしばコーティングに用いられる金属酸化物は、例えば酸化チタンであり、所望により酸化鉄を混ぜることができる。顔料粒子の大きさや形状（例えば、球形、楕円体状、板状、平坦、非平坦）、ならびに酸化物コーティングの厚さにより、反射特性に影響を与えることができる。他の金属酸化物、例えばオキシ塩化ビスマス（ＢｉＯＣｌ）、ならびに、例えば酸化チタン、特にＴｉＯ２−変態形アナターゼおよびルチル、アルミニウム、タンタル、ニオブ、ジルコニウムおよびハフニウムの酸化物。さらに、フッ化マグネシウム（ＭｇＦ２）およびフッ化カルシウム（ホタル石、ＣａＦ２）を用いて効果顔料を製造することもできる。
【０１５４】
上記効果は、粒径によっても、また顔料集合体の粒径分布によっても調節できる。適当な粒径分布は、例えば２〜５０μｍ、５〜２５μｍ、５〜４０μｍ、５〜６０μｍ、５〜９５μｍ、５〜１００μｍ、１０〜６０μｍ、１０〜１００μｍ、１０〜１２５μｍ、２０〜１００μｍ、２０〜１５０μｍ、および＜１５μｍである。例えば２０〜１５０μｍの広い粒径分布は、艶をもたらし、一方、＜１５μｍの狭い粒径分布は、均一な絹のような外観をもたらす。
【０１５５】
本発明による組成物は、効果顔料を、それぞれ組成物の全重量を基準として、好ましくは０．１〜２０．０重量％、特に好ましくは０．５〜１０．０重量％、また極めて好ましくは１．０〜５．０重量％の量で含有する。
【０１５６】
パール光沢を与える成分として、好ましく適しているのは、脂肪酸モノアルカノールアミド、脂肪酸ジアルカノールアミド、アルキレングリコール、特にエチレングリコールおよび／またはプロピレングリコールまたはそのオリゴマーと、高級脂肪酸、例えば、パルミチン酸、ステアリン酸、およびベヘン酸とのモノエステルまたはジエステル、グリセリンとカルボン酸、脂肪酸、およびその金属塩とのモノエステルまたはポリエステル、ケトスルホン、または前記化合物の混合体である。
【０１５７】
特に好ましいのは、エチレングリコールジステアラートおよび／または平均で３グリコール単位を有するポリエチレングリコール−ジステアラートである。
【０１５８】
本発明による組成物が、パール光沢を与える化合物を含有している限り、これらは好ましくは０．１〜１５．０重量％の量で、また特に好ましくは１．０〜１０．０重量％の量で本発明による組成物中に含まれる。
【０１５９】
香油または芳香油として、個別の着臭化合物、例えばエステル、エーテル、アルデヒド、ケトン、アルコール、および炭化水素の類の合成製品を用いることができる。エステル類の着臭化合物は、例えば、酢酸ベンジル、イソ酪酸フェノキシエチル、酢酸ｐ−ｔｅｒｔ．−ブチルシクロヘキシル、酢酸リナリル、酢酸ジメチルベンジルカルビニル、酢酸フェニルエチル、安息香酸リナリル、ギ酸ベンジル、グリシン酸エチルメチルフェニル、プロピオン酸アリルシクロヘキシル、プロピオン酸スチラリル、およびサリチル酸ベンジルである。エーテルには、例えばベンジルエチルエーテルが含まれ、アルデヒドには、例えばＣ８〜Ｃ１８の直鎖状アルカナール、シトラール、シトロネラル、シトロネリルオキシアセトアルデヒド、シクラメンアルデヒド、ヒドロキシシトロネラル、リリアル、およびブルジオナルが含まれ、ケトンには、例えば、イオノン、α−イソメチルイオノン、およびメチルセドリルケトンが含まれ、アルコールには、アネトール、シトロネロール、ユージノール、ゲラニオン、リナロール、フェニルエチルアルコール、およびテルピネオールが含まれ、炭化水素には、主としてテルペンおよびバルサムが属する。好ましくは、様々な着臭剤の混合物が使用され、それらが合わさって魅力的な香調を生み出す。
【０１６０】
芳香油は、例えば松油、カンキツ油、ジャスミン油、ユリ油、バラ油、またはイランイラン油といった植物または動物原料から入手できる天然の着臭物質混合物を含むことがある。また多くの場合に香気成分として用いられる、蒸発性の低い精油、例えば、セージ油、カミルレ油、チョウジ油、メリッサ油、ハッカ油、ケイ皮葉油、シナノキ花油、ビャクシン実油、ベチバー油、乳香油、ガルバヌム油、ラブダナム油も芳香油として適している。
【０１６１】
乳白剤としては、ポリマー分散液、特にポリアクリラート誘導体、ポリアクリルアミド誘導体、ポリ（アクリラート誘導体−ｃｏ−アクリルアミド誘導体）の分散液、ポリ（スチレン誘導体−ｃｏ−アクリラート誘導体）分散液、飽和および不飽和脂肪族アルコールを使用できる。
【０１６２】
シリコーンには、上でシリコーン油またはシリコーンワックスについて挙げた物質を使用できる。
【０１６３】
ｐＨ値調節用の酸またはアルカリ液としては、好ましくは、鉱酸、特にＨＣｌ、無機塩基、特にＮａＯＨまたはＫＯＨ、および有機酸、特にクエン酸を使用できる。
【０１６４】
本発明による組成物のｐＨ値は、好ましくは、２〜１０、特に好ましくは２〜７、また極めて好ましくは２．５〜６．５である。
【０１６５】
本発明のさらなる好ましい実施形態では、本発明による組成物は、シャワージェルまたはシャンプーの形をとる。
【０１６６】
本発明によるポリマーは、増粘剤、粘稠度調節剤、乳化剤、感覚添加剤、可溶化剤、分散剤、滑剤、粘着剤、安定剤、または降伏点生成剤として有利に適している。
【０１６７】
したがって、本発明のさらなる対象は、増粘剤、粘稠度調節剤、乳化剤、感覚添加剤、可溶化剤、分散剤、滑剤、粘着剤、安定剤、または降伏点生成剤としての、好ましくは増粘剤、粘稠度調節剤、または降伏点生成剤としての、特に好ましくは増粘剤または降伏点生成剤としての、また極めて好ましくは降伏点生成剤としての、極端に好ましくは化粧用、皮膚科用、または医薬用組成物での１つまたは複数の本発明によるポリマーの使用に関する。
【０１６８】
本発明によるポリマーは、１種または複数種の界面活性剤を高濃度で含有する液体組成物、好ましくは液体化粧用、皮膚科用、または医薬用組成物中での、増粘剤、粘稠度調節剤、乳化剤、感覚添加剤、可溶化剤、分散剤、滑剤、粘着剤、安定剤、または降伏点生成剤として、好ましくは、増粘剤、粘稠度調節剤、または降伏点生成剤として、特に好ましくは増粘剤または降伏点生成剤として、また極めて好ましくは降伏点生成剤として特に好ましく適している。
【０１６９】
したがって、本発明の特に好ましい実施形態は、界面活性剤含量が０．０１〜５０．０重量％、好ましくは１．０〜３０．０重量％、特に好ましくは５．０〜２０．０重量％、および極めて好ましくは５．０〜１５．０重量％の液体組成物中、極端に好ましくは化粧用、皮膚科用、または医薬用組成物中での、増粘剤、粘稠度調節剤、乳化剤、感覚添加剤、可溶化剤、分散剤、滑剤、粘着剤、安定剤、または降伏点生成剤としての、好ましくは増粘剤、粘稠度調節剤、または降伏点生成剤としての、特に好ましくは増粘剤または降伏点生成剤としての、また極めて好ましくは降伏点生成剤としての１つまたは複数の本発明によるポリマーの使用である。
【０１７０】
本発明のさらなる特に好ましい実施形態では、本発明によるポリマーは、無機または有機粒子の、油滴の、または気泡の安定化のために、特に好ましくは化粧用、皮膚科用、または医薬用組成物中で、増粘剤または降伏点生成剤として、好ましくは降伏点生成剤として使用される。
【０１７１】
本発明のさらなる特に好ましい実施形態では、本発明によるポリマーは、無機または有機粒子の、油滴の、または気泡の安定化のために、水性、水−アルコール、水性界面活性剤を含有する、または水−アルコール性界面活性剤を含有する系の組成物中で、好ましくは対応する化粧用、皮膚科用、または医薬用組成物中で、増粘剤または降伏点生成剤として、好ましくは、降伏点生成剤として使用される。
【０１７２】
本発明のさらなる特に好ましい実施形態では、本発明によるポリマーは、無機または有機粒子の、油滴の、または気泡の安定化のために、１種または複数種の界面活性剤を含有する液体組成物中で、好ましくは液体の化粧用、皮膚科用、または医薬用組成物中で、増粘剤または降伏点生成剤として、好ましくは降伏点生成剤として使用される。
【０１７３】
本発明の特に好ましい実施形態では、本発明によるポリマーは、無機または有機粒子の、油滴の、または気泡の安定化のために、高い界面活性剤濃度、好ましくは５．０〜２０．０重量％、また特に好ましくは５．０〜１５．０重量％の組成物中で、増粘剤または降伏点生成剤として、好ましくは降伏点生成剤として使用される。上記組成物は、好ましくは化粧用、皮膚科用、または医薬用組成物である。この種の組成物は、好ましくは透明な溶液状である。
【０１７４】
本発明のさらなる好ましい実施形態では、本発明によるポリマーは、エマルジョンの、好ましくは塩を含有するエマルジョンの、特に好ましくは塩を含有する化粧用、皮膚科用、または医薬用エマルジョンの安定化に使用される。
【０１７５】
本発明によるポリマーは酸に安定であり、特に身体の皮膚または顔の皮膚の手入れおよび治療用のｐＨ値の低い化粧用、皮膚科用、または医薬用組成物への使用に有利に適している。
【０１７６】
したがって、本発明のさらなる対象は、身体の皮膚または顔の皮膚の手入れおよび治療のための、好ましくは化粧用、皮膚科用、または医薬用組成物中での、特に好ましくは酸性の化粧用、皮膚科用、または医薬用組成物中での１つまたは複数の本発明によるポリマーの使用である。
【０１７７】
好ましくは本発明による使用は、化粧用、医薬用、または皮膚科用組成物中で行われる。
【０１７８】
さらに、有利なことに、本発明によるポリマーは、追加の降伏点生成剤の併用なしでも、および／または追加の増粘剤の併用なしでも、組成物中、好ましくは化粧用、皮膚科用、または医薬用組成物に使用できる。追加の降伏点生成剤および／または増粘剤の併用は、したがって必須ではないが、可能ではある。他の既知の降伏点生成剤および／または増粘剤との組合せは、特定の化粧品のプロファイルの調整のため、また相乗効果を利用するために望ましい可能性がある。
【０１７９】
さらに、有利なことに、本発明によるポリマーは、追加の降伏点生成剤および／または増粘剤の併用なしでも、水性組成物、水−アルコール性組成物、水性の界面活性剤を含有した組成物、水−アルコール性の界面活性剤を含有した組成物中で、好ましくは、対応する化粧用、皮膚科用、または医薬用組成物中で使用できる。したがって、本発明の極めて好ましい実施形態では、本発明による組成物は、追加の降伏点生成剤および／または追加の増粘剤の添加のない、水性の界面活性剤を含有した組成物または水−アルコール性の界面活性剤を含有した組成物となっている。
【０１８０】
ｎが１超である式（２）の構造単位を含む本発明によるポリマーは、例えば、対応する組成物、特に対応する化粧用、医薬用、または皮膚科用組成物に使用したとき、広いｐＨ域、特にｐＨ値２〜１０において、特に有利な降伏点を形成し、非常に清澄な組成物を生成することを特徴とする。
なお、本願は、特許請求の範囲に記載の発明に関するものであるが、他の態様として以下も包含し得る。
１．以下を含む水溶性または水膨潤性ポリマー：
ａ）  式（１）
【化８】
0005456880.tif 000016
［ここで、
Ｒ１は、水素、メチルまたはエチルを意味し、
Ａは、直鎖状または分岐状のＣ１〜Ｃ１２アルキレン、好ましくはＣ１〜Ｃ８アルキレンを意味し、
Ｑ＋は、Ｈ＋、ＮＨ４＋、有機アンモニウムイオン［ＨＮＲ５Ｒ６Ｒ７］＋（ここでＲ５、Ｒ６およびＲ７は、互いに独立に、水素、１〜２２個の炭素原子を有する直鎖状または分岐状アルキル基、２〜２２個の炭素原子を有する直鎖状または分岐状のモノまたはポリ不飽和アルケニル基、Ｃ６〜Ｃ２２アルキルアミドプロピル基、２〜１０個の炭素原子を有する直鎖状モノヒドロキシアルキル基、または３〜１０個の炭素原子を有する直鎖状または分岐状ジヒドロキシアルキル基でよく、かつ、ここで、残基Ｒ５、Ｒ６およびＲ７のうち少なくとも１つは水素でない）、Ｌｉ＋、Ｎａ＋、Ｋ＋、１／２Ｃａ＋＋、１／２Ｍｇ＋＋、１／２Ｚｎ＋＋または１／３Ａｌ＋＋＋、またはこれらのイオンの混合物を表す］
で表される互いに独立の１つまたは複数の繰り返し構造単位を２０．０〜９８．９９モル％、および
ｂ）  式（２）
【化９】
0005456880.tif 000017
［ここで、
Ｒ１ａは、水素、メチルまたはエチルを意味し、
Ｘ＋は、Ｈ＋、ＮＨ４＋、有機アンモニウムイオン［ＨＮＲ５Ｒ６Ｒ７］＋（ここで、Ｒ５、Ｒ６およびＲ７は、互いに独立に、水素、１〜２２個の炭素原子を有する直鎖状または分岐状アルキル基、２〜２２個の炭素原子を有する直鎖状または分岐状のモノまたはポリ不飽和アルケニル基、Ｃ６〜Ｃ２２アルキルアミドプロピル基、２〜１０個の炭素原子を有する直鎖状モノヒドロキシアルキル基、または３〜１０個の炭素原子を有する直鎖状または分岐状ジヒドロキシアルキル基でよく、かつ、ここで、残基Ｒ５、Ｒ６およびＲ７のうち少なくとも１つは水素でない）、Ｌｉ＋、Ｎａ＋、Ｋ＋、１／２Ｃａ＋＋、１／２Ｍｇ＋＋、１／２Ｚｎ＋＋または１／３Ａｌ＋＋＋、またはこれらのイオンの混合物を表し、
Ｂは、１〜６個の炭素原子を有する直鎖状または分岐状アルキレン基であり、そして
ｎは、１〜１０の整数である］
で表される互いに独立の１つまたは複数の繰り返し構造単位を１．０〜７９．９９モル％、および
ｃ）  少なくとも２つのオレフィン性二重結合を有する１種または複数種のモノマーに由来する１つまたは複数の互いに独立の架橋性の繰り返し構造単位を０．０１〜８．０モル％、好ましくは０．０１〜５．０モル％、特に好ましくは０．０１〜２．０モル％、また極めて好ましくは０．２５〜１．５モル％。
２．前記式（１）の１つまたは複数の構造単位が、２−アクリルアミド−２−メチルプロパンスルホン酸から誘導されることを特徴とする、上記１に記載のポリマー。
３．前記式（１）の１つまたは複数の構造単位の中和度が、５０．０〜１００モル％、特に好ましくは８０．０〜１００モル％、極めて好ましくは９０．０〜１００モル％、そして極度に好ましくは９５．０〜１００モル％であることを特徴とする、上記１または２に記載のポリマー。
４．本発明によるポリマーの成分ｂ）中での、ｎが２以上の整数である前記式（２）の１つまたは複数の構造単位の割合が、少なくとも１０．０モル％、特に好ましくは少なくとも２０．０モル％、極めて好ましくは少なくとも２５．０モル％、極端に好ましくは少なくとも３０．０モル％であることを特徴とする、上記１〜３のいずれか一つに記載のポリマー。
５．前記式（２）の１つまたは複数の構造単位において、Ｂが−ＣＨ２ＣＨ２−基であり、ｎが１〜５の整数であり、好ましくは１〜４であることを特徴とする、上記１〜４のいずれか一つに記載のポリマー。
６．前記式（１）の１つまたは複数の構造単位におけるＨ＋ではない対イオンＱ＋が、ＮＨ４＋、アルカリ金属＋（その中でもさらにＮａ＋が好ましい）、アルカリ土類＋＋、およびこれらイオンの混合物から選択され、特に好ましくはＮＨ４＋であり、そして、前記式（２）の１つまたは複数の構造単位における対イオンＸ＋が、Ｈ＋、ＮＨ４＋、アルカリ金属＋（その中でもさらにＮａ＋が好ましい）、アルカリ土類＋＋、およびこれらイオンの混合物から選択され、特に好ましくはＨ＋および／またはＮＨ４＋であることを特徴とする、上記１〜５のいずれか一つに記載のポリマー。
７．以下を含むことを特徴とする、上記１〜６のいずれか一つに記載のポリマー：
ａ）  前記式（１）の１つまたは複数の構造単位を５０．０〜９６．９９モル％、好ましくは７５．０〜９４．９９モル％、また特に好ましくは８４．７５〜９４．７５モル％、
ｂ）  前記式（２）の１つまたは複数の構造単位を３．０〜４９．９９モル％、好ましくは５．０〜２４．９９モル％、また特に好ましくは５．０〜１５．０モル％、および
ｃ）  前記成分ｃ）の１つまたは複数の架橋性構造単位を０．０１〜５．０モル％、好ましくは０．０１〜２．０モル％、また特に好ましくは０．２５〜１．５モル％。
８．成分ｃ）による式（３）の互いに独立した１種または複数種の架橋性の繰り返し構造単位
【化１０】
0005456880.tif 000018
［ここで、
Ｒ１およびＲ２は、それぞれ互いに独立に、水素、メチルまたはエチルを意味し、
Ｄ、ＥおよびＦは、それぞれ互いに独立に、メチレンオキシ（−ＣＨ２−Ｏ−）、エチレンオキシ（−ＣＨ２−ＣＨ２−Ｏ−）、プロピレンオキシ（−ＣＨ（ＣＨ３）−ＣＨ２−Ｏ−）、１〜６個の炭素原子を有する直鎖状または分岐状アルキレン基、２〜６個の炭素原子を有する直鎖状または分岐状のモノまたはポリ不飽和アルケニレン基、２〜６個の炭素原子を有する直鎖状モノヒドロキシアルキレン基、または３〜６個の炭素原子を有する直鎖状または分岐状ジヒドロキシアルキレン基を意味し、そして
ｏ、ｐおよびｑは、それぞれ互いに独立に、１〜５０の整数を意味する］
を含むことを特徴とする、上記１〜７のいずれか一つに記載のポリマー。
９．以下を含むことを特徴とする、上記１〜８のいずれか一つに記載のポリマー：
ａｂ）  式（１）および式（２）の繰り返し構造単位の混合体を２９．９９〜９８．９９モル％、好ましくは６２．０〜９８．９９モル％、
ｃ）  成分ｃ）の１つまたは複数の架橋性構造単位を０．０１〜８．０モル％、および  ｄ）  一般式（４）の１つまたは複数の化合物に由来する１つまたは複数の互いに独立な非架橋性繰り返し構造単位を０．０１〜７０．０モル％、好ましくは１．０〜７０．０モル％、特に好ましくは１．０〜３７．９９モル％
【化１１】
0005456880.tif 000019
［ここで、
Ｒ１は、水素、メチルまたはエチルを意味し、
Ｒ２は、Ｈ、１〜５０個の炭素原子を有する直鎖状または分岐状アルキル基、２〜６個の炭素原子を有する直鎖状または分岐状モノヒドロキシアルキル基、２〜６個の炭素原子を有する直鎖状または分岐状ジヒドロキシアルキル基、−（ＣＯ−Ｏ−Ｒ７−）ＯＲ８、または−（ＣＯ−ＮＲ５−Ｒ７−）ｐＲ８を意味し、
ｌ、ｍ、ｎ、ｏおよびｐは、それぞれ互いに独立に、０〜３００の整数を意味し、
Ｙは、化学結合、Ｏ、ＮＲ３、Ｓ、ＰＲ３、ＣＨ２、ＣＨ２Ｏ、ＣＨ２ＮＲ３、ＣＨ２Ｓ、Ｃ（Ｏ）、Ｃ（ＮＲ３）、Ｃ（Ｏ）Ｏ、ＯＣ（Ｏ）、Ｃ（Ｏ）ＮＲ３、ＮＲ３Ｃ（Ｏ）、Ｃ（ＮＲ４）ＮＲ３、Ｃ（Ｏ）Ｓ、Ｒ６ＯＣ（Ｏ）Ｏ、Ｒ６ＯＣ（Ｏ）ＮＲ３、Ｒ６Ｒ３ＮＣ（Ｏ）ＮＲ４、Ｒ６ＮＲ３Ｃ（ＮＲ５）ＮＲ４、Ｒ６ＯＣ（Ｏ）Ｓ、Ｒ６Ｐ（Ｏ）Ｏ、Ｒ６ＯＰ（Ｏ）Ｏ、Ｒ６Ｓ（Ｏ）、Ｒ６Ｓ（Ｏ）（Ｏ）、Ｒ６Ｓ（Ｏ）Ｏ、Ｒ６Ｓ（Ｏ）（Ｏ）Ｏ、Ｒ６ＯＳ（Ｏ）ＯまたはＲ６ＯＳ（Ｏ）（Ｏ）Ｏ、好ましくは、化学結合、Ｏ、ＣＨ２、Ｃ（Ｏ）Ｏ、ＯＣ（Ｏ）、Ｃ（Ｏ）ＮＲ３またはＮＲ３Ｃ（Ｏ）を意味し、
Ｒ３、Ｒ４、Ｒ５およびＲ８は、それぞれ互いに独立に、水素、または１〜５０個のＣ原子を有する直鎖状または分岐状アルキル残基を意味し、
Ｒ６は、化学結合またはＣＨ２を意味し、そして
Ｒ７は、１〜５０個のＣ原子を有する直鎖状または分岐状アルキレン残基を意味する］。
１０．成分ｄ）の１つまたは複数の構造単位が、式（５）
【化１２】
0005456880.tif 000020
［ここで、
Ｒ１は、水素、メチルまたはエチルを意味し、
Ｒ２およびＲ３は、それぞれ互いに独立に、水素、メチル、エチル、ｎ−プロピル、またはイソプロピルを意味し、そして、Ｒ２およびＲ３残基の少なくとも１つは水素でない］
で表される１つまたは複数の構造単位、および
式（６）
【化１３】
0005456880.tif 000021
［ここで、
Ｒ１は、水素、メチルまたはエチルを意味し、
Ｒ２は、水素、メチル、エチル、ｎ−プロピルまたはイソプロピルである］
で表される１つまたは複数の構造単位、
から選択されることを特徴とする、上記９に記載のポリマー。
１１．成分ａ）〜ｃ）および場合によりｄ）の構造単位を誘導するモノマー、ならびに場合によりさらなるモノマーを、プロトン性溶媒、好ましくはｔｅｒｔ．−ブタノール中でラジカル重合させ、そして場合により重合前に前記モノマーを、または重合後にポリマーを、アンモニアまたは有機アミン、またはＬｉ＋、Ｎａ＋、Ｋ＋、Ｃａ＋＋、Ｍｇ＋＋、Ｚｎ＋＋、もしくはＡｌ＋＋＋を含有する塩基、好ましくは、対応する水酸化物または炭酸塩、特に好ましくは水酸化物を用いて中和することを特徴とする、上記１〜１０のいずれか一つに記載のポリマーの製造方法。
１２．上記１〜１０のいずれか一つに記載のポリマーの１種または複数種を、完成した組成物を基準として、好ましくは０．０１〜１０．０重量％の量、特に好ましくは０．１〜５．０重量％の量、また極めて好ましくは０．５〜２．０重量％の量で含有する化粧用、皮膚科用または医薬用組成物。
１３．リキッド（Ｆｌｕｉｄｓ）、ゲル、オイル、フォーム、スプレー、ローションまたはクリームの形態であることを特徴とする、上記１２に記載の組成物。
１４．１種または複数種の界面活性剤を、完成した組成物を基準として、好ましくは０．０１〜５０．０重量％、特に好ましくは１．０〜３０．０重量％、極めて好ましくは５．０〜２０．０重量％、また極端に好ましくは５．０〜１５．０重量％の量で含有することを特徴とする、上記１２または１３に記載の組成物。
１５．無機および有機の塩から選択される１種または複数種の物質を含むことを特徴とする、上記１２〜１４のいずれか一つに記載の組成物。
１６．α−およびβ−ヒドロキシ酸から選択される１種または複数種の物質を含むことを特徴とする、上記１２〜１５のいずれか一つに記載の組成物。
１７．ビタミンＣおよびビタミンＣ誘導体から選択される１種または複数種の物質を含み、ビタミンＣ誘導体が、好ましくは、リン酸アスコルビルナトリウム、リン酸アスコルビルマグネシウムおよびマグネシウムアスコルビルグルコシドから選択されることを特徴とする、上記１２〜１６のいずれか一つに記載の組成物。
１８．安息香酸、ソルビン酸、サリチル酸、乳酸およびパラメトキシ安息香酸から選択される１種または複数種の物質を含むことを特徴とする、上記１２〜１７のいずれか一つに記載の組成物。
１９．無機および有機のＵＶフィルターから選択される１種または複数種の物質を含み、そして好ましくは日焼け防止組成物の形態であることを特徴とする、上記１２〜１８のいずれか一つに記載の組成物。
２０．ｐＨ値が、２〜１０、好ましくは２〜７、また特に好ましくは２．５〜６．５であることを特徴とする、上記１２〜１９のいずれか一つに記載の組成物。
２１．シャワージェルまたはシャンプーの形態であることを特徴とする上記１２〜２０のいずれか一つに記載の組成物。
２２．増粘剤、粘稠度調節剤、乳化剤、感覚添加剤、可溶化剤、分散剤、滑剤、粘着剤、安定剤または降伏点生成剤（Ｆｌｉｅｓｓｇｒｅｎｚｅｎｂｉｌｄｎｅｒ）としての、好ましくは増粘剤、粘稠度調節剤、または降伏点生成剤としての、特に好ましくは増粘剤または降伏点生成剤としての、また極めて好ましくは降伏点生成剤としての、極端に好ましくは化粧用、皮膚科用または医薬用組成物における、上記１〜１０のいずれか一つに記載の１種または複数種のポリマーの使用。
２３．無機または有機粒子、油滴または気泡の安定化のための、特に好ましくは化粧用、皮膚科用または医薬用組成物中での、増粘剤または降伏点生成剤としての、好ましくは降伏点生成剤としての上記２２に記載の使用。
２４．無機もしくは有機粒子、油滴または気泡の安定化のための、１種または複数種の界面活性剤を含む液体組成物中での、好ましくは液体化粧用、皮膚科用または医薬用組成物中での、増粘剤または降伏点生成剤としての、好ましくは降伏点生成剤としての上記２２または２３に記載の使用。
２５．エマルジョン、好ましくは塩を含有するエマルジョン、特に好ましくは塩を含有する化粧用、皮膚科用または医薬用エマルジョンの安定化のための上記２２に記載の使用。
【０１８１】
以下に示す例および応用は、本発明をより詳細に説明するが、それらに限定するものではない。
【実施例】
【０１８２】
例：
以下に示す例および応用は、本発明をより詳細に説明するが、それらに限定するものではない。
【０１８３】
１．重合
ｔｅｒｔ−ブタノール中での沈殿法による本発明によるポリマーの製造のための全般的な重合処方
還流冷却器、ガス送入管、内部温度センサ、および撹拌器の付いた１Ｌクイックフィット（Ｑｕｉｃｋｆｉｔ）フラスコ中に、４００ｇのｔｅｒｔ．−ブタノールを仕込み、計算量の２−アクリルアミド−２−メチル−１−プロパンスルホン酸（ＡＭＰＳ（登録商標）、Ｌｕｂｒｉｚｏｌ社）を混合する。続いて、ＮＨ３を導入して中和し（目標ｐＨ値６−７）、計算量のアクリル酸２−カルボキシエチル（Ｓｉｇｍａ−Ａｌｄｒｉｃｈ社）、またはアクリル酸２−カルボキシエチルオリゴマー混合物（Ｂｉｍａｘ  Ｃｈｍｉｃａｌｓ  Ｌｔｄ．）、および計算量の架橋剤を反応混合物中に加える。さらなるコモノマーが必要である場合、これは、アクリルアミド−２−メチル−１−プロパンスルホンスルホン酸（ＡＭＰＳ（登録商標）、Ｌｕｂｒｉｚｏｌ社）の中和後に加えることができる。コモノマーの添加後に反応混合物のｐＨ値が酸性域に変化する場合、ＮＨ３の導入で再度中和する（目標ｐＨ値６−７）。Ｎ２またはアルゴンを混合して不活性化した後、内部温度６０℃で、２，２’−アゾビスイソ酪酸ジメチル（Ｖ−６０１）を開始剤として加え、重合反応を開始する。数分後に、生成したポリマーが沈殿する。混合液を、還流しながら２時間加熱した後、重合体を吸引ろ過器で溶媒と分離し、真空乾燥する。この処方は、以下に記述する重合反応の全てに全般的に適用できる。
【０１８４】
使用されるアクリル酸２−カルボキシエチルオリゴマー混合物（Ｂｉｍａｘ  Ｃｈｅｍｉｃａｌｓ  Ｌｔｄ．）の組成は、１０〜２０重量％のアクリル酸、３０〜６０重量％のアクリル酸２−カルボキシエチル、および３０〜６０重量％のアクリル酸２−カルボキシエチルの高級オリゴマーである。
【０１８５】
２．  例１
第１項の全般的な重合処方に従い重合した。
【０１８６】
【表２】
0005456880.tif 000022
【０１８７】
３．  例２
第１項の全般的な重合処方に従い重合した。
【０１８８】
【表３】
0005456880.tif 000023
【０１８９】
４．  例３
第１項の全般的な重合処方に従い重合した。
【０１９０】
【表４】
0005456880.tif 000024
【０１９１】
５．  例４
第１項の全般的な重合処方に従い重合した。
【０１９２】
【表５】
0005456880.tif 000025
【０１９３】
６．  例５
第１項の全般的な重合処方に従い重合した。
【０１９４】
【表６】
0005456880.tif 000026
【０１９５】
７．  例６
第１項の全般的な重合処方に従い重合した。
【０１９６】
【表７】
0005456880.tif 000027
【０１９７】
８．  例７
第１項の全般的な重合処方に従い重合した。
【０１９８】
【表８】
0005456880.tif 000028
【０１９９】
９．  例８
第１項の全般的な重合処方に従い重合した。
【０２００】
【表９】
0005456880.tif 000029
【０２０１】
１０．  例９
第１項の全般的な重合処方に従い重合した。
【０２０２】
【表１０】
0005456880.tif 000030
【０２０３】
１１．  例１０
第１項の全般的な重合処方に従い重合した。
【０２０４】
【表１１】
0005456880.tif 000031
【０２０５】
使用されるアクリル酸２−カルボキシエチルオリゴマー混合物（Ｂｉｍａｘ  Ｃｈｅｍｉｃａｌｓ  Ｌｔｄ．）は、クロマトグラフ法で精製できる。例えば、アクリル酸を分離でき、そのようにして得られたオリゴマー混合物を、例えば上述の例１〜５に使用できる。
【０２０６】
Ｂ）本発明によるポリマーを含む化粧用組成物に関する例
以下の％表示は、別段の明示的な断りがない限り、全て重量％である。
【０２０７】
以下の化粧用調合物を、本発明によるコポリマーを用いて製造した。
例Ａ：老化防止クリームゲル
Ａ  Ｇｅｎａｐｏｌ（登録商標）ＤＡＴ  ２．００％
ＰＥＧ−１５０ポリグリセリル−２トリステアラートおよびＰＥＧ−６、カプリル酸／カプリン酸グリセリド
Ｂ  水  ａｄ１００％
Ｃ  ミネラルオイル  ５．００％
ＳｉｌＣａｒｅ（登録商標）Ｓｉｌｉｃｏｎｅ  ３１Ｍ５０  ３．００％
カプリリルトリメチコン
Ｄ  例４によるポリマー  １．８０％
Ｅ  グリコール酸３０％＊  ６．００％
Ｐｈｅｎｏｎｉｐ（登録商標）  ０．５０％
フェノキシエタノール（および）メチルパラベン（および）エチルパラベン（および）ブチルパラベン（および）プロピルパラベン（および）イソブチルパラベン
Ｆ  Ｇｅｎａｐｏｌ（登録商標）ＬＡ０７０  ３．００％
ラウレス−７
【０２０８】
製造
Ｉ  撹拌しつつ軽く加温しながらＡをＢに溶かす。
ＩＩ  ＤをＣに撹拌しながら入れる。
ＩＩＩ  ＩをＩＩに加え、均一なゲルを得るまで撹拌する。
ＩＶ  ＥをＩＩＩに加える。
Ｖ  ＦをＩＶに加え撹拌する。
【０２０９】
例Ｂ：Ｏ／Ｗ日焼け防止クリーム
Ａ  Ｈｏｓｔａｐｈａｔ（登録商標）ＣＳ１２０  ５．００％
リン酸ステアリル
Ｔｅｇｉｎ（登録商標）Ｍ  ２．５０％
ステアリン酸グリセリル
ステアリン酸  ２．００％
セチルアルコール  １．００％
Ａｂｉｌ（登録商標）１００  ２．００％
ジメチコン
ミネラルオイル、低粘度  ３．００％
Ｃｅｔｉｏｌ（登録商標）８６８  ３．００％
ステアリン酸エチルヘキシル
Ｖｅｌｓａｎ（登録商標）ＣＣＴ  ３．００％
カプリル酸／カプリン酸トリグリセリド
ＵＶ−Ｔｉｔａｎ  Ｍ２１０  ５．００％
超微粉二酸化チタン
Ｂ  例５によるポリマー  ０．２０％
Ｃ  Ｈｏｓｔａｐｏｎ（登録商標）ＣＬＧ  ０．６０％
ラウロイルグルタミン酸ナトリウム
Ｅｕｓｏｌｅｘ（登録商標）２３２  ４．００％
フェニルベンズイミダゾールスルホン酸
トリス（ヒドロキシメチル）アミノメタン  適量
トロメタミン
アラントイン  ０．２０％
グリセリン  ５．００％  
保存剤  適量
水  ａｄ１００％
Ｄ  芳香剤  ０．３０％
【０２１０】
製造
Ｉ  Ａを８０℃で融解してから、成分Ｂを加える。
ＩＩ  Ｉを均質化する。
ＩＩＩ  Ｃを８０℃に加温する。
ＩＶ  ＩＩＩをＩＩに撹拌しながら入れる。
Ｖ  冷却するまでＩＶを撹拌する。
ＶＩ  ＤをＶに３５℃で加える。
ＶＩＩ  エマルジョンを均質化する。
【０２１１】
例Ｃ：パール化剤入りシャンプー
Ａ  水  ａｄ１００％
Ｂ  例２によるポリマー  ２．５０％
Ｃ  Ｇｅｎａｐｏｌ（登録商標）ＬＲＯ  ｌｉｑ．  ３８．５０％
ラウレス硫酸ナトリウム
Ｇｅｎａｇｅｎ（登録商標）ＣＡＢ  １５．００％
コカミドプロピルベタイン
Ｈｏｓｔａｐｏｎ（登録商標）ＫＣＧ  ８．３０％
ココイルグルタミン酸ナトリウム
Ｄ  Ｇｅｎａｐｏｌ（登録商標）ＴＳＭ  ４．００％
安息香酸Ｎａ  ０．４０％
【０２１２】
製造
Ｉ  均一なゲルが得られるまでＢをＡに混ぜる。
ＩＩ  Ｃの各成分を加えて、完全に溶解するまで撹拌する。
ＩＩＩ  Ｄの各成分をＩＩに加える。
ＩＶ  ｐＨ値をｐＨ＝４．５に調整する。
【０２１３】
例Ｄ：酸化亜鉛を入れた日焼け防止クリーム
Ａ  Ｈｏｓｔａｐｈａｔ（登録商標）ＫＬ３４０Ｄ  １．００％
トリラウレス−４リン酸
ミネラルオイル、低粘度  ８．００％
パルミチン酸イソプロピル
Ｖｅｌｓａｎ（登録商標）ＣＣＴ  ２．００％
カプリル酸／カプリン酸トリグリセリド
グリセリルステアラート  ０．５０％
セテアリルアルコール  ０．５０％
Ｂ  例４によるポリマー  ０．８０％
Ｃ  グリセリン  ５．００％
アルコール  １．００％
水  ａｄ１００％
Ｄ  酢酸トコフェロール  １．００％
Ｚ−Ｃｏｔｅ  ＨＰ１  １０．００％
酸化亜鉛およびジメチコン
保存剤  適量
Ｅ  芳香剤  ０．３０％
【０２１４】
製造
Ｉ  Ａを７０℃で融解してから、Ｂを加える。
ＩＩ  Ｃを４０℃に加温する。
ＩＩＩ  ＩＩをＩに撹拌しながら入れる。
ＩＶ  Ｄを３５℃でＩＩＩに撹拌しながら入れる。
Ｖ  ＥをＩＶに加える。
【０２１５】
例Ｅ：水溶性日焼け防止成分の入ったクリームゲル
Ａ  Ｅｕｓｏｌｅｘ（登録商標）２３２  ２．００％
フェニルベンズイミダゾールスルホン酸
Ｂ  水  ａｄ１００％
Ｃ  例４によるポリマー  ２．１０％
Ｄ  Ｔｅｇｏｓｏｆｔ  ＴＮ  ５．００％
Ｃ１２−Ｃ１５安息香酸アルキル
ＳｉｌＣａｒｅ（登録商標）Ｓｉｌｉｃｏｎｅ  ３１Ｍ５０  ３．００％
カプリリルトリメチコン
Ｅ  Ｎｉｐａｇｕａｒｄ（登録商標）ＭＰＡ  適量
ベンジルアルコール（および）メチルパラベン（および）プロピルパラベン
Ｇｅｎａｐｏｌ（登録商標）ＬＡ０７０  ２．５０％
ラウレス−７
芳香剤  適量
【０２１６】
製造
Ｉ  ＡをＢと混合してｐＨを約７．３に中和する。
ＩＩ  Ｃを加え均質なゲルが得られるまで撹拌する。
ＩＩＩ  Ｄの各成分を混合し、ＩＩに加える。
ＩＶ  ＥをＩＩＩに加える。
【０２１７】
例Ｆ：美白ゲル
Ａ  Ｇｅｎａｐｏｌ（登録商標）Ｔ２５０  ２．００％
セテアレス−２５
Ｇｅｎａｐｏｌ（登録商標）ＤＡＴ１００  １．１０％
ＰＥＧ−１５０ポリグリセリル−２トリステアラート
Ｂ  水  ａｄ１００．００％
Ｃ  アスコルビン酸２−グルコシド  ３．００％
Ｎｉｐａｇｕａｒｄ（登録商標）ＤＭＤＭＨ  適量
ＤＭＤＭヒダントイン
Ｄ  例４によるポリマー  ３．００％
Ｅ  水酸化ナトリウム  適量
【０２１８】
製造
Ｉ  撹拌しつつ軽く加温しながら成分ＡをＢに溶かす。
ＩＩ  冷却するまで（２５℃）撹拌し、Ｃを加える。
ＩＩＩ  Ｄを加え、均一なゲルが得られるまで撹拌する。
ＩＶ  ＥによりｐＨ値を６に調整する。
【０２１９】
例Ｇ：フケ防止シャンプー
Ａ  水  ａｄ１００％
Ｂ  例１によるポリマー  ２．５０％
Ｃ  Ｇｅｎａｐｏｌ（登録商標）ＬＲＯ  ｌｉｑ．  ３８．５０％
ラウレス硫酸ナトリウム
Ｇｅｎａｇｅｎ（登録商標）ＣＡＢ  １５．００％
コカミドプロピルベタイン
Ｈｏｓｔａｐｏｎ（登録商標）ＫＣＧ  ８．３０％
ココイルグルタミン酸ナトリウム
Ｄ  ジンクピリチオン  １．８０％
保存剤  適量
【０２２０】
製造
Ｉ  ＢをＡと混合し、均一なゲルが得られるまで撹拌する。
ＩＩ  成分Ｃを加えて完全に溶解するまで撹拌する。
ＩＩＩ  Ｄの各成分をＩＩに加える。
【０２２１】
例Ｈ：光学的作用のあるシャワージェル（１）
Ａ  Ｇｅｎａｐｏｌ（登録商標）ＬＲＯ  ｌｉｑ．  ４９．９５％
ラウレス硫酸ナトリウム
Ｇｅｎａｇｅｎ（登録商標）ＣＡＢ  ５．００％
コカミドプロピルベタイン
Ｂ  水  ａｄ１００％
Ｃ  例２によるポリマー  １．５０％
Ｄ  ソルビン酸Ｎａ  ０．４０％
Ｅ  クエン酸  適量
Ｃｉｒｅｂｅｌｌｅ  １０４  ０．２０％
【０２２２】
製造
Ｉ  ＡをＢと混ぜる。
ＩＩ  溶解したら、ＣをＩに加え、均一な溶液になるまで撹拌する。
ＩＩＩ  ＤをＩＩに加える。
ＩＶ  ＥによりｐＨ値を５．０に調整する。
【０２２３】
例Ｉ：光学的作用のあるシャワージェル（２）
Ａ  Ｇｅｎａｐｏｌ（登録商標）ＬＲＯ  ｌｉｑｕｉｄ  ３０．００％
ラウレス硫酸ナトリウム
Ｈｏｓｔａｐｏｎ（登録商標）ＫＣＧ  ５．００％
ココイルグルタミン酸ナトリウム
Ｖｅｌｓａｎ（登録商標）ＣＧ０７０  ２．００％
ヤシ油脂肪酸ＰＥＧ−７グリセリル
Ｇｅｎａｇｅｎ（登録商標）ＣＡＢ  ６．００％
コカミドプロピルベタイン
Ｇｅｎａｐｏｌ（登録商標）ＬＡ０３０  ２．００％
ラウレス−３
Ｂ  水  ａｄ１００％
Ｃ  例３によるポリマー  １．５０％
Ｄ  ソルビン酸Ｎａ  ０．３０％
【０２２４】
製造
Ｉ  各成分が完全に溶解するまでＡをＢと混合する。
ＩＩ  ＣをＩに加えて、均一な溶液になるまで撹拌する。
ＩＩＩ  ＤをＩＩに加える。
【０２２５】
撹拌時に封入された気泡は本発明によるポリマーにより安定に分散される。